(57)【特許請求の範囲】
【請求項１】
感情の状態を誘導する誘導対象から検出された誘導する対象の感情である対象感情に対応する生体情報に基づく、前記対象感情の状態を示す状態指標を取得する取得部と、  取得された前記状態指標と、前記対象感情の状態を誘導するための感情誘導媒体に対応付けられている、前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御する状態制御部と、  を備え、  前記生体情報には、酵素の検出結果を示す情報が含まれる、状態制御装置。
【請求項２】
前記状態制御部は、取得された前記状態指標の時間的な変化のパターンと反対の変化のパターンを有する前記感情誘導媒体の中から、前記誘導対象における前記対象感情の状態の誘導に用いる前記感情誘導媒体を決定する、請求項１に記載の状態制御装置。
【請求項３】
前記状態制御部は、  決定された前記感情誘導媒体に関する処理による制御が開始された場合には、決定された前記感情誘導媒体に関する処理による制御が開始されてから経過した時間と、決定された前記感情誘導媒体に対応付けられている前記パターン情報とに基づいて、前記対象感情の状態が前記所定の状態となるように、前記感情誘導媒体を再決定し、  前記誘導対象における前記対象感情の状態の制御に用いる前記感情誘導媒体を、用いられている前記感情誘導媒体から再決定された前記感情誘導媒体に切り替えて、前記誘導対象における前記対象感情の状態を制御する、請求項１に記載の状態制御装置。
【請求項４】
再決定される前記感情誘導媒体は、決定された前記感情誘導媒体に対応付けられている前記パターン情報における前記状態指標の時間的な変化のパターンと反対の変化のパターンを有する前記感情誘導媒体である、請求項３に記載の状態制御装置。
【請求項５】
前記状態制御部は、取得された前記状態指標が設定されている所定の閾値より大きい場合、または、取得された前記状態指標が前記閾値以上となった場合に、前記誘導対象における前記対象感情の状態の制御を開始する、請求項１に記載の状態制御装置。
【請求項６】
前記状態制御部は、設定されている前記感情誘導媒体の検索条件を満たす前記感情誘導媒体の中から、前記誘導対象における前記対象感情の状態の誘導に用いる前記感情誘導媒体を決定する、請求項１に記載の状態制御装置。
【請求項７】
前記検索条件には、前記感情誘導媒体の検索範囲を示す条件が含まれ、  前記状態制御部は、設定されている前記検索条件が示す検索範囲に含まれる前記感情誘導媒体の中から、前記誘導対象における前記対象感情の状態の誘導に用いる前記感情誘導媒体を決定する、請求項６に記載の状態制御装置。
【請求項８】
前記状態制御部は、  設定されている前記検索条件が示す検索範囲のうちの第１の範囲に含まれる前記感情誘導媒体の中から、前記誘導対象における前記対象感情の状態の誘導に用いる前記感情誘導媒体を決定する、第１の決定処理を行い、  前記第１の決定処理により前記対象感情の状態の誘導に用いる前記感情誘導媒体が決定されない場合に、前記検索条件が示す検索範囲のうちの前記第１の範囲以外の第２の範囲に含まれる前記感情誘導媒体の中から、前記誘導対象における前記対象感情の状態の誘導に用いる前記感情誘導媒体を決定する、第２の決定処理を行う、請求項７に記載の状態制御装置。
【請求項９】
前記状態制御部は、  前記第２の決定処理により前記対象感情の状態の誘導に用いる前記感情誘導媒体が決定されない場合には、前記検索条件が示す検索範囲を変更し、  変更された検索範囲に含まれる前記感情誘導媒体の中から、前記誘導対象における前記対象感情の状態の誘導に用いる前記感情誘導媒体を決定する、第３の決定処理を行う、請求項８に記載の状態制御装置。
【請求項１０】
前記状態制御部は、前記誘導対象における前記対象感情の状態を通知させる、請求項１に記載の状態制御装置。
【請求項１１】
前記状態指標は、酵素の活性度である、請求項１に記載の状態制御装置。
【請求項１２】
前記生体情報には、前記誘導対象に対して与えられた外部刺激に対する反応の時定数が所定の時間以内の酵素の検出結果を示す情報、または、前記時定数が前記所定の時間より短い酵素の検出結果を示す情報が含まれる、請求項１に記載の状態制御装置。
【請求項１３】
前記酵素は、唾液アミラーゼである、請求項１に記載の状態制御装置。
【請求項１４】
前記取得部は、検出デバイスの検出結果に応じた前記生体情報に基づいて前記状態指標を算出して、前記状態指標を取得する、請求項１に記載の状態制御装置。
【請求項１５】
前記検出デバイスを有する検出部をさらに備え、  前記取得部は、前記検出部における検出結果に応じた前記生体情報に基づいて前記状態指標を算出する、請求項１４に記載の状態制御装置。
【請求項１６】
前記取得部は、外部装置との通信によって、前記状態指標を前記外部装置から取得する、請求項１に記載の状態制御装置。
【請求項１７】
前記状態制御部は、取得された前記状態指標に基づいて、決定された前記感情誘導媒体に対応付けられている前記パターン情報を更新する、請求項１に記載の状態制御装置。
【請求項１８】
前記状態制御装置は、口腔内デバイスである、請求項１に記載の状態制御装置。
【請求項１９】
感情の状態を誘導する誘導対象から検出された誘導する対象の感情である対象感情に対応する生体情報に基づく、前記対象感情の状態を示す状態指標を取得するステップと、  取得された前記状態指標と、前記対象感情の状態を誘導するための感情誘導媒体に対応付けられている、前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御するステップと、  を有し、  前記生体情報には、酵素の検出結果を示す情報が含まれる、状態制御装置により実行される状態制御方法。
【請求項２０】
感情の状態を誘導する誘導対象における誘導する対象の感情である対象感情の状態を誘導するための感情誘導媒体を用いる処理を行う処理装置と、  前記感情誘導媒体を用いる処理を前記処理装置に行わせることにより、前記誘導対象における前記対象感情の状態を設定されている所定の状態に誘導させる状態制御装置と、  を有し、  前記状態制御装置は、  前記誘導対象から検出された前記対象感情に対応する生体情報に基づく、前記対象感情の状態を示す状態指標を取得する取得部と、  取得された前記状態指標と、前記感情誘導媒体に対応付けられている前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御する状態制御部と、  を備え、  前記生体情報には、酵素の検出結果を示す情報が含まれる、状態制御システム。
【発明の詳細な説明】
【技術分野】
【０００１】  本開示は、状態制御装置、状態制御方法、および状態制御システムに関する。
【背景技術】
【０００２】  ユーザの生体情報に基づいてコンテンツデータの再生を行う技術が開発されている。ユーザの生体情報に基づいてコンテンツデータの再生を行う技術としては、例えば下記の特許文献１に記載の技術が挙げられる。
【先行技術文献】
【特許文献】
【０００３】
【特許文献１】特許第４３９６１７５号明細書
【発明の概要】
【発明が解決しようとする課題】
【０００４】  例えば特許文献１に記載の技術が用いられる場合には、ユーザの心拍や、脈拍、血圧、体温、体動などの検出結果を示す生体情報に基づいて、ユーザの感情の状態が解析され、解析結果に対応するコンテンツデータが再生される。よって、例えば特許文献１に記載の技術が用いられる場合には、ユーザの生体情報に合ったコンテンツデータの再生を実現することができうる。【０００５】  しかしながら、例えば特許文献１に記載の技術のように、ユーザの心拍や、脈拍、血圧、体温、体動などの主に交感神経系が関与するマクロな２次的変化を利用して感情の状態を解析する場合には、ユーザの感情の変化を正確に予測できるとは限らない。【０００６】  本開示では、誘導対象の感情の状態を、設定されている所定の状態となるように誘導することが可能な、新規かつ改良された状態制御装置、状態制御方法、および状態制御システムを提案する。
【課題を解決するための手段】
【０００７】  本開示によれば、感情の状態を誘導する誘導対象から検出された誘導する対象の感情である対象感情に対応する生体情報に基づく、上記対象感情の状態を示す状態指標を取得する取得部と、取得された上記状態指標と、上記対象感情の状態を誘導するための感情誘導媒体に対応付けられている、上記状態指標の時間的な変化のパターンを示すパターン情報とに基づいて、上記対象感情の状態が設定されている所定の状態となるように、上記対象感情の状態の誘導に用いる上記感情誘導媒体を決定し、決定された上記感情誘導媒体に関する処理を行うことによって、上記誘導対象における上記対象感情の状態を制御する状態制御部と、を備え、上記生体情報には、酵素の検出結果を示す情報が含まれる、状態制御装置が提供される。【０００８】  また、本開示によれば、感情の状態を誘導する誘導対象から検出された誘導する対象の感情である対象感情に対応する生体情報に基づく、上記対象感情の状態を示す状態指標を取得するステップと、取得された上記状態指標と、上記対象感情の状態を誘導するための感情誘導媒体に対応付けられている、上記状態指標の時間的な変化のパターンを示すパターン情報とに基づいて、上記対象感情の状態が設定されている所定の状態となるように、上記対象感情の状態の誘導に用いる上記感情誘導媒体を決定し、決定された上記感情誘導媒体に関する処理を行うことによって、上記誘導対象における上記対象感情の状態を制御するステップと、を有し、上記生体情報には、酵素の検出結果を示す情報が含まれる、状態制御装置により実行される状態制御方法が提供される。【０００９】  また、本開示によれば、感情の状態を誘導する誘導対象における誘導する対象の感情である対象感情の状態を誘導するための感情誘導媒体を用いる処理を行う処理装置と、上記感情誘導媒体を用いる処理を上記処理装置に行わせることにより、上記誘導対象における上記対象感情の状態を設定されている所定の状態に誘導させる状態制御装置と、を有し、上記状態制御装置は、上記誘導対象から検出された上記対象感情に対応する生体情報に基づく、上記対象感情の状態を示す状態指標を取得する取得部と、取得された上記状態指標と、上記感情誘導媒体に対応付けられている上記状態指標の時間的な変化のパターンを示すパターン情報とに基づいて、上記対象感情の状態が設定されている所定の状態となるように、上記対象感情の状態の誘導に用いる上記感情誘導媒体を決定し、決定された上記感情誘導媒体に関する処理を行うことによって、上記誘導対象における上記対象感情の状態を制御する状態制御部と、を備え、上記生体情報には、酵素の検出結果を示す情報が含まれる、状態制御システムが提供される。
【発明の効果】
【００１０】  本開示によれば、誘導対象の感情の状態を、設定されている所定の状態となるように誘導することができる。【００１１】  なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１２】
【図１】本実施形態に係る酵素センサ（検出デバイスの一例）の一例を示す説明図である。
【図２】本実施形態に係る状態制御方法に係る処理の一例を説明するための説明図である。
【図３】本実施形態に係る状態制御処理の一例を説明するための説明図である。
【図４】本実施形態に係る状態制御方法に係る処理の一例を説明するための説明図である。
【図５】本実施形態に係る状態制御処理の一例を説明するための説明図である。
【図６】本実施形態に係る状態制御処理の一例を説明するための説明図である。
【図７】本実施形態に係る状態制御処理の一例を説明するための説明図である。
【図８】本実施形態に係る状態制御処理の一例を説明するための説明図である。
【図９】本実施形態に係る状態制御方法に係る処理の一例を示す流れ図である。
【図１０】本実施形態に係る状態制御方法に係る処理の一例を示す流れ図である。
【図１１】本実施形態に係る口腔内デバイスの一例を示す説明図である。
【図１２】本実施形態に係る状態制御方法の第１の適用例に係る処理の一例を説明するための流れ図である。
【図１３】本実施形態に係る設定される条件の一例を示す説明図である。
【図１４】本実施形態に係る状態制御方法の第１の適用例に係る処理の他の例を説明するための流れ図である。
【図１５】本実施形態に係る状態制御方法の第２の適用例に係る処理の一例を説明するための流れ図である。
【図１６】本実施形態に係る状態制御方法の第３の適用例に係る処理の一例を説明するための流れ図である。
【図１７】本実施形態に係る設定される条件の一例を示す説明図であ
【図１８】本実施形態に係るコンテンツリストの一例を示す説明図である。
【図１９】本実施形態に係る状態制御方法の第３の適用例に係る処理を説明するための説明図である。
【図２０】本実施形態に係る状態制御方法の第４の適用例に係る処理の一例を説明するための流れ図である。
【図２１】本実施形態に係る状態制御方法の第５の適用例に係る処理の一例を説明するための流れ図である。
【図２２】本実施形態に係る状態制御方法の第６の適用例に係る処理の一例を説明するための流れ図である。
【図２３】本実施形態に係る状態制御システム（または本実施形態に係る状態制御装置）を用いて実現することが可能なサービスの一例を説明するための説明図である。
【図２４】本実施形態に係る状態制御装置の構成の一例を示すブロック図である。
【図２５】本実施形態に係る状態制御装置のハードウェア構成の一例を示す説明図である。
【図２６】本実施形態に係る状態制御システムの構成の一例を示すブロック図である。
【発明を実施するための形態】
【００１３】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】  また、以下では、下記に示す順序で説明を行う。    １．本実施形態に係る状態制御方法    ２．本実施形態に係る状態制御装置、本実施形態に係る状態制御システム    ３．本実施形態に係るプログラム
【００１５】（本実施形態に係る状態制御方法）  まず、本実施形態に係る状態制御方法について説明する。以下では、本実施形態に係る状態制御方法に係る処理を、本実施形態に係る状態制御装置が行う場合を例に挙げて、本実施形態に係る状態制御方法について説明する。
【００１６】［１］本実施形態に係る状態制御方法の概要  本実施形態に係る状態制御装置は、感情の状態を誘導する対象から検出された、誘導する対象の感情に対応する生体情報に基づく状態指標を取得する（取得処理）。以下では、感情の状態を誘導する対象を「誘導対象」と示し、誘導する対象の感情を「対象感情」と示す。
【００１７】  また、本実施形態に係る状態制御装置は、取得された状態指標と、感情誘導媒体に対応付けられているパターン情報とに基づいて、対象感情の状態が設定されている所定の状態となるように感情誘導媒体を決定し、決定された感情誘導媒体に関する処理を行うことによって、誘導対象における対象感情の状態を制御する（状態制御処理）。本実施形態に係る状態制御装置は、誘導対象に対応する状態指標に基づき決定された、誘導対象の対象感情の状態に対応する感情誘導媒体に関する処理を行う。本実施形態に係る状態制御装置は、感情誘導媒体に関する処理を行い、誘導対象における対象感情の状態を、所定の状態となるように誘導することによって、誘導対象における対象感情の状態を制御する。
【００１８】  ここで、本実施形態に係る誘導対象としては、例えば人が挙げられる。また、本実施形態に係る誘導対象は、人以外の動物であってもよい。
【００１９】  また、本実施形態に係る対象感情としては、例えば、「喜」、「怒」、「哀」、「楽」、「不快」、「快」の１または２以上の感情が挙げられる。以下では、本実施形態に係る対象感情が、「快」および「不快」であり、本実施形態に係る状態制御方法によって、誘導対象の「快」および「不快」の状態、すなわち、ストレス状態が制御される場合を例に挙げる。
【００２０】  例えば人の感情（例えば、「喜」、「怒」、「哀」、「楽」、「不快」、「快」）の変化によって、体内では、交感神経系、免疫系、内分泌系の相互作用が引き起こされていることが医学的に知られている。また、上述したように、心拍や、脈拍、血圧、体温、体動などの主に交感神経系が関与するマクロな２次的変化を利用して感情の状態を解析する場合には、感情の変化を正確に予測できるとは限らない。
【００２１】  そこで、本実施形態に係る状態制御方法では、例えば酵素の検出結果を示す情報（データ）を、対象感情に対応する本実施形態に係る生体情報として用いる。酵素の検出結果を示す情報は、例えば、酵素センサ（後述する）の検出結果に基づき得られる。
【００２２】  具体例を挙げると、本実施形態に係る生体情報としては、例えば、外部刺激に対する反応の時定数が１［分］（所定の時間の一例）以内である、唾液アミラーゼ（口腔内の唾液に含まれるアミラーゼ。以下、単に「アミラーゼ」と示す場合がある。）の検出結果を示す情報が挙げられる。また、酵素が唾液アミラーゼである場合、酵素の検出結果を示す情報としては、例えば、アミラーゼ量を示すデータが挙げられる。
【００２３】  唾液アミラーゼは、交感神経系と内分泌系の２系統の作用から起因するもので、外部刺激（例えばストレス）に対して反応の時定数が１［分］以内のストレスバイオマーカーとして知られている。なお、アミラーゼ量は、ストレス状態下でなくても昼夜では変動しうるが、加齢に対してはほとんど変動しないことが知られている。よって、唾液アミラーゼは、例えば、昼夜変動のキャリブレーションを行えば、誘導対象の年齢層に依存しないストレスマーカーとして使用可能である。
【００２４】  なお、本実施形態に係る酵素は、アミラーゼに限られず、誘導対象に対して与えられた外部刺激に対する反応の時定数が所定の時間以内の酵素（または、当該時定数が当該所定の時間より短い酵素。以下、同様とする。）であってもよい。つまり、本実施形態に係る状態制御装置は、誘導対象に対して与えられた外部刺激に対する反応の時定数が所定の時間以内の酵素の検出結果を示す情報を、対象感情に対応する本実施形態に係る生体情報として用いることが可能である。また、対象感情に対応する本実施形態に係る生体情報は、上記に示すような酵素に限られず、例えば、ホルモンなどの、誘導対象に対して与えられた外部刺激に対する反応の時定数が所定の時間以内の体内物質であってもよい。
【００２５】  ここで、上記所定の時間としては、例えば１［分］が挙げられる。なお、上記所定の時間は１［分］に限られず、例えば、感情誘導媒体に関する処理に対応する任意の値（感情誘導媒体を用いて対象感情を誘導することが可能な任意の値）に設定することが可能である。
【００２６】  以下では、本実施形態に係る酵素が唾液アミラーゼであり、本実施形態に係る生体情報が、唾液アミラーゼの検出結果を示す情報である場合を例に挙げる。
【００２７】  また、本実施形態に係る生体情報には、誘導対象の心拍や発汗などの検出結果に基づく、１または２以上の他の生体情報が含まれていてもよい。つまり、本実施形態に係る生体情報には、例えば、少なくとも酵素の検出結果を示す情報が含まれる。
【００２８】  本実施形態に係る生体情報として酵素の検出結果を示す情報が用いられることによって、心拍や、脈拍、血圧、体温、体動などの主に交感神経系が関与するマクロな２次的変化を利用して感情の状態を解析する場合よりも、より正確に対象感情の状態の変化を把握することが可能となる。
【００２９】  また、本実施形態に係る生体情報として酵素の検出結果を示す情報が用いられる場合、誘導対象から非侵襲に本実施形態に係る生体情報が得られる。よって、本実施形態に係る生体情報として酵素の検出結果を示す情報が用いられる場合には、本実施形態に係る生体情報の取得によって誘導対象の感情が変動する可能性がより低減されるので、より正確に対象感情の状態の変化を把握することができる。
【００３０】  また、本実施形態に係る生体情報として、外部刺激に対する反応の時定数が所定の時間以内の酵素の検出結果を示す情報が用いられることによって、対象感情の状態の変化をより短い時間で把握することが可能となる。
【００３１】  本実施形態に係る状態指標としては、酵素の活性度（以下、「酵素活性度」と示す。））が挙げられる。
【００３２】  なお、本実施形態に係る状態指標は、酵素活性度に限られない。例えば、本実施形態に係る状態指標は、酵素活性度を、心拍や発汗などの１または２以上の他の生体情報とも合せて多変量解析などの統計処理を行った結果であってもよい。以下では、本実施形態に係る状態指標が酵素活性度である場合を例に挙げる。
【００３３】  本実施形態に係る感情誘導媒体とは、対象感情の状態を誘導するための媒体である。本実施形態に係る感情誘導媒体としては、例えば、音声（音楽も含む）、画像（静止画像または動画像）、テキストのうちの１または２以上などのコンテンツを示すコンテンツデータや、プログラム（コンピュータプログラム）が挙げられる。なお、以下では、上記様々なコンテンツを示すコンテンツデータとプログラムとを総称して「コンテンツデータ」と示す場合がある。
【００３４】  また、本実施形態に係る感情誘導媒体に関する処理としては、例えば、コンテンツデータを再生する処理や、コンテンツデータを外部装置に再生させる処理、プログラムを実行する処理、プログラムを実行させる処理などが挙げられる。本実施形態に係る感情誘導媒体に関する処理の具体例については、後述する。
【００３５】  本実施形態に係るパターン情報とは、状態指標の時間的な変化のパターンを示すデータであり、本実施形態に係る感情誘導媒体に対応付られる。本実施形態に係るパターン情報と本実施形態に係る感情誘導媒体とは、例えば、テーブル（またはデータベース）で対応付けられる。なお、本実施形態に係るパターン情報と本実施形態に係る感情誘導媒体とは、これらを対応付けることが可能な任意の形式のデータによって、対応付けられていてもよい。
【００３６】  以下では、本実施形態に係る感情誘導媒体に対応付けられているパターン情報が示す状態指標の時間的な変化のパターンを、「感情誘導媒体が有する変化のパターン」や「変化のパターンを有する感情誘導媒体」というように示す場合がある。
【００３７】  本実施形態に係るパターン情報は、例えば、対応付けられている感情誘導媒体に係る処理が行われたときにおける、誘導対象の対象感情の状態を時系列で表したデータに相当する。つまり、本実施形態に係るパターン情報は、対応付けられている感情誘導媒体に係る処理が行われた場合に予測される誘導対象の対象感情の状態の変化を示している。
【００３８】  本実施形態に係るパターン情報は、例えば、予め設定される。また、本実施形態に係るパターン情報は、例えば、対応付けられている感情誘導媒体に係る処理が行われた場合に検出された生体情報に基づく状態指標によって更新されてもよい。本実施形態に係るパターン情報が検出された生体情報に基づく状態指標によって更新される場合には、本実施形態に係るパターン情報は、過去の状態指標を時系列で示すデータとなる。
【００３９】  本実施形態に係る状態制御装置は、上記のように、本実施形態に係る状態制御処理において、対象感情の状態が設定されている所定の状態となるように感情誘導媒体を決定する。ここで、本実施形態に係る所定の状態としては、例えば、本実施形態に係る状態制御装置のユーザや誘導対象の操作によって設定された、誘導状態の条件に対応する状態が挙げられる。本実施形態に係る誘導状態の条件の設定例や、本実施形態に係る所定の状態の一例については、後述する。
【００４０】  感情誘導媒体の決定に係る処理の一例を挙げると、本実施形態に係る状態制御装置は、例えば、取得された状態指標の時間的な変化のパターンと反対の変化のパターンを有する感情誘導媒体の中から、誘導対象における対象感情の状態の誘導に用いる感情誘導媒体を決定する。上記の例は、本実施形態に係る状態制御装置が、取得された状態指標の時間的な変化のパターンにより示される、誘導対象の対象感情の状態の変化とは逆の変化が誘導対象に生じるように、誘導対象における対象感情の状態を誘導することを示している。なお、本実施形態に係る状態制御処理における感情誘導媒体の決定に係る処理の例については、後述する。
【００４１】  本実施形態に係る状態制御装置は、本実施形態に係る状態制御方法に係る処理として、例えば上記取得処理および上記状態制御処理を行う。
【００４２】  ここで、本実施形態に係る状態制御装置は、上記状態制御処理において、上記取得処理により取得された生体情報に基づく状態指標に基づいて、対象感情の状態が設定されている所定の状態となるように、感情誘導媒体を決定する。本実施形態に係る生体情報は、唾液アミラーゼなどの酵素の検出結果を示す情報を含むので、上記取得処理により取得される状態指標は、より正確な対象感情の状態の変化を示す。また、本実施形態に係る状態制御装置は、上記状態制御処理において、決定された感情誘導媒体に関する処理を行うことによって、誘導対象における対象感情の状態を制御する。
【００４３】  したがって、本実施形態に係る状態制御方法に係る処理が行われることによって、誘導対象の感情の状態を、設定されている所定の状態となるように誘導することができる。
【００４４】  なお、上記取得処理および上記状態制御処理は、便宜上、本実施形態に係る状態制御方法に係る処理を切り分けたものである。よって、本実施形態に係る状態制御方法に係る処理は、例えば、上記取得処理および上記状態制御処理を１つの処理と捉えることもできる。また、本実施形態に係る状態制御方法に係る処理は、例えば、上記取得処理および上記状態制御処理を、（任意の切り分け方によって）２以上の処理と捉えることも可能である。
【００４５】  以下では、本実施形態に係る状態制御装置が、本実施形態に係る状態制御方法に係る処理として、上記取得処理および上記状態制御処理を行う場合を主に例に挙げる。
【００４６】  以下、本実施形態に係る状態制御方法に係る処理の一例について、より具体的に説明する。以下では、本実施形態に係る対象感情が「快」、「不快」の感情であり、本実施形態に係る生体情報が“酵素の検出結果を示す情報”であり、本実施形態に係る状態指標が“酵素活性度”である場合を例に挙げる。また、以下では、本実施形態に係る感情誘導媒体が“音楽を示すコンテンツデータ”であり、本実施形態に係る感情誘導媒体に関する処理が“コンテンツデータの再生処理”である場合を主に例に挙げる。
【００４７】  なお、上述したように、本実施形態に係る感情誘導媒体は、画像を示すデータやテキストを示すデータ、プログラムであってもよい。また、例えば、本実施形態に係る状態制御方法に係る処理では、「快」、「不快」の感情以外の各感情（例えば、「喜」、「怒」、「哀」、「楽」）を反映するバイオマーカーを本実施形態に係る生体情報として用いることによって、当該各感情を同様に誘導することが可能である。
【００４８】［２］本実施形態に係る状態制御方法に係る処理の一例（１）取得処理  本実施形態に係る状態制御装置は、誘導対象から検出された生体情報に基づく状態指標を取得する。
【００４９】（１−１）取得処理の第１の例  本実施形態に係る状態制御装置は、検出デバイスの検出結果に応じた生体情報に基づいて状態指標を算出して、状態指標を取得する。
【００５０】  ここで、本実施形態に係る検出デバイスとしては、例えば、本実施形態に係る状態制御装置が備える検出部（後述する）を構成する検出デバイスや、本実施形態に係る状態制御装置と有線または無線で接続された外部の検出デバイスが挙げられる。
【００５１】  また、本実施形態に係る検出デバイスとしては、例えば、酵素センサが挙げられる。また、本実施形態に係る検出デバイスには、さらに、誘導対象の心拍や発汗などの１または２以上の他の生体情報を得るための、１または２以上のセンサが含まれていてもよい。
【００５２】  図１は、本実施形態に係る酵素センサ（検出デバイスの一例）の一例を示す説明図である。酵素センサは、例えば、クロモゲン（Ｇａｌ−Ｇ２−ＣＮＰ）、カラーフィルタ、およびＳｉフォトダイオードの積層構造を有する。ここで、カラーフィルタは、黄色の光を透過させ、他の色の光を透過させないフィルタである。
【００５３】  また、本実施形態に係る酵素センサは、例えば、Ｓｉフォトダイオードにより生成されたアナログ信号をデジタル信号に変換するＡＤ（Analog-to-Digital）コンバータなどを、Ｓｉフォトダイオードの後段に備えていてもよい。なお、上記ＡＤコンバータなどは、本実施形態に係る酵素センサの外部のデバイスであってもよい。
【００５４】  アミラーゼが酵素センサのクロモゲンに接した場合には、下記の化学式１に示すような加水分解反応が進行する。
【００５５】  Ｇａｌ−Ｇ２−ＣＮＰ  →  Ｇａｌ−Ｇ２＋ＣＮＰ・・・（化学式１）
【００５６】  上記化学式１に示す反応の際、アミラーゼがクロモゲンのＣＮＰ側鎖を切断し、もともと白色だったクロモゲンが黄色に変化する。酵素センサは、上記化学式１に示す反応により生じる黄色の光の強度を、背景光の下で不純物のドーピングされたＳｉフォトダイオードで光電変換する。光電変換により生成された光電子による信号がＡＤコンバータなどで変換されたデータが、酵素の検出結果を示す情報、すなわち、酵素センサの検出結果に応じた生体情報に該当する。
【００５７】  ここで、ＣＮＰ側鎖の数に応じて光強度が変化するので、光電変換により生成された光電子による信号によって、アミラーゼ量が判断可能である。
【００５８】  生体情報がアミラーゼ量を示す情報（酵素の検出結果を示す情報）である場合を例に挙げて、状態指標の算出に係る処理について説明する。
【００５９】  本実施形態に係る状態制御装置は、アミラーゼ量を示す情報が示す値Ａを用いて、下記の数式１により酵素活性度（状態指標の一例。以下、同様とする。）Ｓを算出する。ここで、数式１に示す“Ａａｖｇ”は、蓄積されたアミラーゼ量を示す情報を用いて外部刺激（ストレス）のない状態での昼夜を考慮して算出された平均アミラーゼ量である。
【００６０】  Ｓ＝（Ａ−Ａａｖｇ）／Ａａｖｇ・・・（数式１）
【００６１】  本実施形態に係る状態制御装置は、検出デバイスから得られた生体情報に基づいて、例えば上記数式１に示す演算を行うことによって、状態指標を算出する。なお、状態指標の算出方法は上記数式１に示す演算を行うことに限られず、状態指標は、生体情報と状態指標との種類に対応する方法によって、算出される。
【００６２】（１−２）取得処理の第２の例  本実施形態に係る状態制御装置は、外部装置との通信によって、状態指標を外部装置から取得する。
【００６３】  本実施形態に係る状態制御装置は、例えば、自装置（本実施形態に係る状態制御装置。以下、同様とする。）が備える通信部（後述する）、または、本実施形態に係る状態制御装置と接続されている外部の通信デバイスを介して、外部装置と通信を行う。外部装置では、上記（１−１）に示す状態指標の算出に係る処理が行われることにより状態指標が算出され、本実施形態に係る状態制御装置は、当該外部装置との通信によって、外部装置において算出された状態指標を取得する。なお、状態指標を算出した外部装置との通信には、例えば、中継装置などの他の装置が介在していてもよい。
【００６４】  本実施形態に係る状態制御装置は、例えば、上記（１−１）に示す第１の例に係る取得処理や、上記（１−２）に示す第２の例に係る取得処理を行うことによって、状態指標を取得する。
【００６５】（２）状態制御処理  本実施形態に係る状態制御装置は、上記（１）の処理（取得処理）において取得された状態指標と、パターン情報とに基づいて、感情誘導媒体を決定する。そして、本実施形態に係る状態制御装置は、決定された感情誘導媒体に関する処理を行うことによって、誘導対象における対象感情の状態を制御する。
【００６６】  ここで、本実施形態に係る状態制御装置は、例えば、本実施形態に係る状態制御装置のユーザや誘導対象の操作によって設定された各種条件に基づいて、状態制御処理を行う。
【００６７】  図２は、本実施形態に係る状態制御方法に係る処理の一例を説明するための説明図であり、条件の設定画面の一例を示している。図２では、誘導状態の条件（図２に示すＡ）と、ジャンルの条件（図２に示すＢ）と、検索範囲の条件（図２に示すＣ）とを設定するための設定画面の一例を示している。
【００６８】  ここで、誘導状態の条件（図２に示すＡ）は、誘導対象をどのストレスレベルへ誘導するかに関する条件である。誘導状態の条件としては、例えば、「心地よいストレス」（例えばレベル１、レベル２など複数のレベルが存在する。例えば、レベルが上がるほど、よりストレス感が大きいことを示す。）と、「ストレスフリー」とが挙げられる。また、誘導状態の条件には、酵素活性度Ｓをどこまでのレベルに制御するかに関する制御値Ｓａや、状態制御処理の開始の判定に用いられる閾値ＳＬが設定される。制御値Ｓａや閾値ＳＬの値は、予め設定されている固定値であってもよいし、本実施形態に係る状態制御装置のユーザなどの操作によって変更可能な可変値であってもよい。
【００６９】  また、ジャンルの条件（図２に示すＢ）と、検索範囲の条件（図２に示すＣ）とは、感情誘導媒体の検索条件である。ここで、本実施形態に係る感情誘導媒体の検索条件には、図２のＢに示す“どれでも”のようにジャンルを限定しない条件や、図２のＣに示す“不特定”のように検索範囲を限定しない条件が含まれていてもよい。つまり、本実施形態に係る感情誘導媒体の検索条件には、感情誘導媒体の検索範囲などを限定しない条件が含まれうる。
【００７０】  ここで、図２に示す設定画面に対する操作は、本実施形態に係る状態制御装置が備える操作部（後述する）に対する操作であってもよいし、リモート・コントローラや、スマートフォンやタブレット型の装置、ＰＣ（Personal  Computer）などの誘導対象が所持する任意の機器に対する操作であってもよい。
【００７１】  なお、本実施形態に係る条件の設定画面は、図２に示す例に限られない。例えば、本実施形態に係る条件の設定画面には、ジャンルの条件（図２に示すＢ）を設定するための領域と検索範囲の条件（図２に示すＣ）を設定するための領域との一方または双方が、含まれていなくてもよい。
【００７２】（２−１）状態制御処理の第１の例：処理の開始に係る処理  本実施形態に係る状態制御装置は、上記（１）の処理（取得処理）において取得された状態指標が、設定されている所定の閾値より大きい場合（または、取得された状態指標が当該閾値以上となった場合。以下、同様とする。）に、誘導対象における対象感情の状態の制御を開始する。
【００７３】  ここで、本実施形態に係る所定の閾値としては、例えば、設定された誘導状態の条件に設定されている閾値ＳＬが挙げられる。
【００７４】  図３は、本実施形態に係る状態制御処理の一例を説明するための説明図である。図３に示す“Ｓｏｂｓ”は、直近に取得された酵素活性度Ｓを示している（以下、同様とする。）。
【００７５】  本実施形態に係る状態制御装置は、例えば図３に示すように、酵素活性度Ｓが閾値ＳＬより大きくなった場合に、誘導対象における対象感情の状態の制御を開始する。
【００７６】（２−２）状態制御処理の第２の例：感情誘導媒体の決定に係る処理１  本実施形態に係る状態制御装置は、設定されている感情誘導媒体の検索条件を満たす感情誘導媒体の中から、誘導対象における対象感情の状態の誘導に用いる感情誘導媒体を決定する。
【００７７】  ここで、例えば図２のＢに示すように、感情誘導媒体の検索条件には感情誘導媒体の検索範囲を示す条件が含まれうる。感情誘導媒体の検索範囲を示す条件が含まれる場合には、本実施形態に係る状態制御装置は、設定されている検索条件が示す検索範囲に含まれる感情誘導媒体の中から、誘導対象における対象感情の状態の誘導に用いる感情誘導媒体を決定する。
【００７８】  本実施形態に係る状態制御装置は、例えば、設定されている検索条件が示す検索範囲内を全て検索することによって、設定されている感情誘導媒体の検索条件を満たす感情誘導媒体を特定する。そして、本実施形態に係る状態制御装置は、特定された感情誘導媒体の中から、誘導対象における対象感情の状態の誘導に用いる感情誘導媒体を決定する。
【００７９】  なお、設定されている感情誘導媒体の検索条件を満たす感情誘導媒体の決定に係る処理は、上記に限られない。
【００８０】  例えば、本実施形態に係る状態制御装置は、設定されている検索条件が示す検索範囲を複数の範囲に分け、段階的に、設定されている感情誘導媒体の検索条件を満たす感情誘導媒体を決定する処理を行ってもよい。
【００８１】  具体例を挙げると、本実施形態に係る状態制御装置は、まず、“設定されている検索条件が示す検索範囲のうちの第１の範囲に含まれる感情誘導媒体の中から、誘導対象における対象感情の状態の誘導に用いる感情誘導媒体を決定する、第１の決定処理”を行う。第１の決定処理において設定されている感情誘導媒体の検索条件を満たす感情誘導媒体が特定された場合には、特定された感情誘導媒体の中から、誘導対象における対象感情の状態の誘導に用いる感情誘導媒体を決定する。
【００８２】  ここで、設定されている検索条件が示す検索範囲が図２に示す“登録フレンド内”、“不特定”、“おすすめ”である場合、本実施形態に係る第１の範囲としては、例えば、自装置（図２に示す“自分のみ”に対応）が挙げられる。なお、本実施形態に係る第１の範囲は、自装置に限られない。例えば、設定されている検索条件が示す検索範囲が図２に示す“不特定”である場合、本実施形態に係る第１の範囲は、“登録フレンド内”や“おすすめ”など複数の装置が検索範囲となるより小さな範囲であってもよい。
【００８３】  また、第１の決定処理により対象感情の状態の誘導に用いる感情誘導媒体が決定されない場合には、“検索条件が示す検索範囲のうちの第１の範囲以外の第２の範囲に含まれる感情誘導媒体の中から、誘導対象における対象感情の状態の誘導に用いる感情誘導媒体を決定する、第２の決定処理”を行う。第２の決定処理において設定されている感情誘導媒体の検索条件を満たす感情誘導媒体が特定された場合には、特定された感情誘導媒体の中から、誘導対象における対象感情の状態の誘導に用いる感情誘導媒体を決定する。
【００８４】  ここで、本実施形態に係る第１の範囲が自装置である場合、本実施形態に係る第２の範囲としては、設定されている検索条件が示す検索範囲のうちの、自装置以外の範囲が挙げられる。また、本実施形態に係る第１の範囲が“登録フレンド内”や“おすすめ”である場合、本実施形態に係る第２の範囲としては、“登録フレンド内”や“おすすめ”に対応する装置以外の任意の装置が挙げられる。
【００８５】  また、第２の決定処理により対象感情の状態の誘導に用いる感情誘導媒体が決定されない場合には、本実施形態に係る状態制御装置は、例えば、検索条件が示す検索範囲を変更する。例えば、設定されている検索条件が示す検索範囲が“登録フレンド内”や“おすすめ”であり、本実施形態に係る第２の範囲が、設定されている検索条件が示す検索範囲のうちの、自装置以外の範囲である場合、本実施形態に係る状態制御装置は、検索条件を“不特定”に変更することにより、検索範囲を変更する。
【００８６】  そして、本実施形態に係る状態制御装置は、変更された検索範囲に含まれる感情誘導媒体の中から、誘導対象における対象感情の状態の誘導に用いる感情誘導媒体を決定する（第３の決定処理）。
【００８７】  なお、感情誘導媒体の検索条件に含まれる条件は、感情誘導媒体の検索範囲を示す条件に限られない。例えば、感情誘導媒体の検索条件には、図２のＣに示すように、ジャンルの条件が含まれていてもよい。
【００８８】  感情誘導媒体の検索条件が、図２のＢおよび図２のＣに示す条件である場合、本実施形態に係る状態制御装置は、例えば、図２のＢおよび図２のＣにおいて設定された条件に応じて、設定された検索範囲の条件に合致する検索範囲内に存在する感情誘導媒体であって、設定されたジャンルの条件に合致する感情誘導媒体を、感情誘導媒体の検索条件を満たす感情誘導媒体とする。そして、本実施形態に係る状態制御装置は、感情誘導媒体の検索条件を満たす感情誘導媒体の中から、誘導対象における対象感情の状態の誘導に用いる感情誘導媒体を決定する。
【００８９】  なお、上述したように、本実施形態に係る感情誘導媒体の検索条件には、感情誘導媒体の検索範囲などを限定しない条件が含まれうる。よって、設定されている感情誘導媒体の検索条件を満たす感情誘導媒体は、例えば、本実施形態に係る状態制御装置が検索可能な検索範囲内に存在する全ての感情誘導媒体となる場合もありうる。
【００９０】  図４は、本実施形態に係る状態制御方法に係る処理の一例を説明するための説明図であり、コンテンツデータ（感情誘導媒体の一例。以下、同様とする。）の検索に用いられるコンテンツリストの例を示している。図４のＡは、コンテンツリストの一例を示しており、図４のＢは、コンテンツリストの他の例を示している。図４では、コンテンツデータが示すコンテンツが“曲”である場合を示している。
【００９１】  図４のＡに示すように、コンテンツリストでは、各コンテンツデータに対してコンテンツＩＤが割り当てられる。また、コンテンツリストでは、コンテンツＩＤそれぞれに対して、例えば、“ジャンル”、“曲名”、“作者”、“酵素活性度Ｓの時系列パターンデータ”、“再生時の酵素活性度Ｓの値”、“再生時相関係数Ｒ”（コンテンツデータが有する酵素活性度Ｓの値のパターンと、曲を流した時に変化する誘導対象の酵素活性度Ｓの値との相関係数。値が高いほど、曲の持つパターン通りに誘導対象の感情が変化することが期待される。）、“再生累積回数”（相関係数と同様に、効果の指標となる。）とが対応付られる。ここで、図４に示す“酵素活性度Ｓの時系列パターンデータ”が、本実施形態に係るパターン情報の一例に該当する。
【００９２】  “酵素活性度Ｓの時系列パターンデータ”、“再生時の酵素活性度Ｓの値”、“再生時相関係数Ｒ”、および“再生累積回数”は、例えば、コンテンツデータが再生されるごとに更新される。
【００９３】  また、図４のＢに示すように、コンテンツリストには、さらに“曲のテンポ”や“再生日時”、“再生場所”などの追加の項目がさらに含まれていてもよい。
【００９４】  本実施形態に係る状態制御装置は、例えば、図４に示すようなコンテンツリストを参照することによって、コンテンツデータの検索条件を満たすコンテンツデータを特定する。
【００９５】  なお、コンテンツデータの検索に用いられるコンテンツリストの例は、図４に示す例に限られない。例えば、本実施形態に係るコンテンツリストは、“コンテンツＩＤ”と、“酵素活性度Ｓの時系列パターンデータ”、“再生時の酵素活性度Ｓの値”、および“再生時相関係数Ｒ”とが対応付けられているものであってもよい。
【００９６】（２−３）状態制御処理の第３の例：感情誘導媒体の決定に係る処理２  本実施形態に係る状態制御装置は、上記（１）の処理（取得処理）において取得された状態指標の時間的な変化のパターンと反対の変化のパターンを有する感情誘導媒体の中から、誘導対象における対象感情の状態の誘導に用いる感情誘導媒体を決定する。
【００９７】  図５、図６は、本実施形態に係る状態制御処理の一例を説明するための説明図である。
【００９８】  図５のＡに示すように、コンテンツＩＤが“００１”、“００２”、…であるコンテンツデータが存在するときにおいて、上記（１）の処理（取得処理）において取得された酵素活性度Ｓが図３に示すような、右肩上がりの時間的な変化のパターンを有する場合を例に挙げる。ここで、例えば上記（２−２）に示す第２の例に係る状態制御処理が行われる場合には、図５のＡに示すコンテンツデータは、設定されている感情誘導媒体の検索条件を満たす感情誘導媒体に該当する。
【００９９】  上記の場合には、本実施形態に係る状態制御装置は、図５のＡに示すコンテンツデータの中から、取得された酵素活性度Ｓの時間的な変化のパターンと反対の変化のパターンを有するコンテンツデータを、誘導対象における対象感情の状態の誘導に用いるコンテンツデータの候補とする。以下では、誘導対象における対象感情の状態の誘導に用いるコンテンツデータの候補を「候補コンテンツデータ」と示す場合がある。
【０１００】  図５に示す例では、図５のＢに示すように、コンテンツＩＤが“００１”、“００３”、“００５”、…であるコンテンツデータが、候補コンテンツデータとされる。
【０１０１】  候補コンテンツデータが特定されると、本実施形態に係る状態制御装置は、例えば図６のＡに示すように、再生時間ｔ１（例えば、３０［秒］）までの酵素活性度Ｓの時間変分ｄＳ／ｄｔ、再生時の酵素活性度Ｓの値、および相関係数Ｒの３軸空間において、再生時の酵素活性度Ｓの値が所定の範囲内（Ｓｏｂｓ±ΔＳ）にあるコンテンツデータを抽出する。図６のＡでは、コンテンツＩＤが“００１”および“００３”であるコンテンツデータが抽出される例を示している。
【０１０２】  次に、本実施形態に係る状態制御装置は、例えば図６のＢに示すように、相関係数Ｒが閾値ＲＬ以上で（または、相関係数Ｒが閾値ＲＬより大きく）、時間変分ｄＳ／ｄｔの値がより大きなコンテンツデータを、誘導対象における対象感情の状態の誘導に用いるコンテンツデータとして決定する。図６のＢでは、コンテンツＩＤが“００３”であるコンテンツデータが、誘導対象における対象感情の状態の誘導に用いるコンテンツデータとして決定される例を示している。
【０１０３】  ここで、再生時の酵素活性度Ｓの値を指標として用いるのは、例えば、コンテンツデータの決定時におけるストレス状態に適したコンテンツデータを決定するためである。また、相関係数Ｒを指標として用いるのは、例えば、安定した状態変化を見込めると予測できるからである。
【０１０４】  また、“ΔＳ”、“閾値ＲＬ”、および“時間変分ｄＳ／ｄｔ”は、例えば、図２のＡにおいて設定される誘導条件に依存して決定される。例えば、誘導条件が“ストレスフリー”条件に設定されている場合には、いち早くの感情誘導を実現するために、ΔＳ＝０．１・Ｓ、ＲＬ＝０．８、ｄＳ／ｄｔ＝ｍａｘ値とする。また、例えば、誘導条件が“心地よいストレス”条件に設定されている場合には、ΔＳ＝０．５・Ｓ、ＲＬ＝０．５とし、ｄＳ／ｄｔを任意の値としてもよい。
【０１０５】  例えば図５、図６を参照して示したような処理が行われることによって、図５のＣに示すように、コンテンツＩＤが“００３”であるコンテンツデータが、誘導対象における対象感情の状態の誘導に用いるコンテンツデータとして決定される。
【０１０６】  なお、誘導対象における対象感情の状態の誘導に用いるコンテンツデータの決定に係る処理は、図５、図６を参照して示した処理に限られない。例えば、本実施形態に係る状態制御装置は、下記のような処理を行うことも可能である。    ・まず、候補コンテンツデータの中から、相関係数Ｒが閾値ＲＬ以上のコンテンツデータ（または、相関係数Ｒが閾値ＲＬより大きいコンテンツデータ）を抽出する。    ・次に、再生時の酵素活性度Ｓの値が所定の範囲内（Ｓｏｂｓ±ΔＳ）にあるコンテンツデータであって、時間変分ｄＳ／ｄｔの値がより大きなコンテンツデータを、誘導対象における対象感情の状態の誘導に用いるコンテンツデータとして決定する。
【０１０７】（２−４）状態制御処理の第４の例：感情誘導媒体の切り替えに係る処理  本実施形態に係る状態制御装置は、決定された感情誘導媒体に関する処理による制御が開始された場合には、誘導対象における対象感情の状態の制御に用いる感情誘導媒体を切り替えて、誘導対象における対象感情の状態を制御することも可能である。
【０１０８】  より具体的には、本実施形態に係る状態制御装置は、決定された感情誘導媒体に関する処理による制御が開始されてから経過した時間と、決定された感情誘導媒体に対応付けられているパターン情報とに基づいて、対象感情の状態が所定の状態となるように、感情誘導媒体を再決定する。
【０１０９】  ここで、再決定される感情誘導媒体は、例えば、決定された感情誘導媒体に対応付けられているパターン情報における状態指標の時間的な変化のパターンと反対の変化のパターンを有する感情誘導媒体である。
【０１１０】  一例を挙げると、本実施形態に係る状態制御装置は、例えば上記（２−３）に示す第３の例に係る状態制御処理と同様に、取得された酵素活性度Ｓの時間的な変化のパターンと反対の変化のパターンを有するコンテンツデータを、候補コンテンツデータとする。そして、本実施形態に係る状態制御装置は、例えば上記（２−３）に示す第３の例に係る状態制御処理と同様に、候補コンテンツデータの中から、誘導対象における対象感情の状態の誘導に用いるコンテンツデータを再決定する。
【０１１１】  また、本実施形態に係る状態制御装置は、誘導対象における対象感情の状態の制御に用いる感情誘導媒体を、用いられている感情誘導媒体（すなわち、前回決定された感情誘導媒体）から再決定された感情誘導媒体に切り替えて、誘導対象における対象感情の状態を制御する。本実施形態に係る状態制御装置は、例えば、実行する感情誘導媒体に関する処理を、用いられている感情誘導媒体に関する処理から再決定された感情誘導媒体に関する処理に切り替えることによって、誘導対象における対象感情の状態を制御する。
【０１１２】  図７、図８は、本実施形態に係る状態制御処理の一例を説明するための説明図である。図７は、誘導条件が“ストレスフリー”条件に設定されている場合における、状態制御処理による誘導対象における対象感情の状態の制御の一例を示している。また、図８は、誘導条件が“心地よいストレス”条件に設定されている場合における、状態制御処理による誘導対象における対象感情の状態の制御の一例を示している。
【０１１３】  図７に示すＡ、および図８に示すＡは、誘導対象における酵素活性度Ｓの時間的な変化を示している。また、図７に示すＢ、Ｃ、および図８に示すＢ、Ｃは、コンテンツデータに対応付けられているパターン情報が示す酵素活性度Ｓの時間的な変化のパターンの一例を示している。
【０１１４】  決定された感情誘導媒体に関する処理による制御が開始されると（図７、図８に示す“パターンマッチング開始”に対応）、決定されたコンテンツデータが再生される（図７のＢ、図８のＢ）。決定されたコンテンツデータの再生によって、取得された酵素活性度Ｓが制御値Ｓａに到達しない場合には、本実施形態に係る状態制御装置は、例えば下記の（ａ）、（ｂ）に示す処理を行う。
【０１１５】（ａ）  誘導条件が“ストレスフリー”条件に設定されている場合、図７のＢに示すように、本実施形態に係る状態制御装置は、再生されているコンテンツデータに対応付けられているパターン情報が示す酵素活性度Ｓが増加し始める時間ｔ２に、再度コンテンツデータを決定する。そして、本実施形態に係る状態制御装置は、再度決定されたコンテンツデータを切り替えて再生させることによって、積極的に誘導対象における酵素活性度Ｓを減少させる。図７では、図７のＣに示すように、コンテンツＩＤが“００１”であるコンテンツデータが再生される例を示している。
【０１１６】  図７に示す例では、図７のＣに示すように、再決定されたコンテンツデータが再生されることによって、取得された酵素活性度Ｓが制御値Ｓａに到達している。よって、図７に示す例では、さらなるコンテンツデータの切り替えは行わない。
【０１１７】  なお、仮に、再決定されたコンテンツデータが再生されても取得された酵素活性度Ｓが制御値Ｓａに到達しない場合には、本実施形態に係る状態制御装置は、再度、コンテンツデータを再決定し、再決定されたコンテンツデータをさらに切り替えて再生させる。
【０１１８】（ｂ）  誘導条件が“心地よいストレス”条件に設定されている場合、図８のＢに示すように、本実施形態に係る状態制御装置は、例えば、曲再生時からパターン極値Ｓ０のα倍になる時点に、再度コンテンツデータを決定する。そして、本実施形態に係る状態制御装置は、再度決定されたコンテンツデータを切り替えて再生させる。ここで、“α”の値は、例えば、“心地よいストレス”条件のレベルに応じた値（例えば、レベル１であれば０．３、レベル２であれば０．５など）である。図８では、図８のＣに示すように、コンテンツＩＤが“００５”であるコンテンツデータが再生される例を示している。
【０１１９】  図８に示す例では、図８のＣに示すように、再決定されたコンテンツデータが再生されることによって、取得された酵素活性度Ｓが制御値Ｓａに到達している。よって、図８に示す例では、さらなるコンテンツデータの切り替えは行わない。
【０１２０】  なお、仮に、再決定されたコンテンツデータが再生されても取得された酵素活性度Ｓが制御値Ｓａに到達しない場合には、本実施形態に係る状態制御装置は、再度、コンテンツデータを再決定し、再決定されたコンテンツデータをさらに切り替えて再生させる。
【０１２１】  例えば上記（ａ）、（ｂ）に示す処理を行い、再生されるコンテンツデータを選択的に切り替えることによって、本実施形態に係る状態制御装置は、例えば、誘導対象における対象感情の状態を、設定した所望の状態へと誘導対象に意識させることなく誘導することができる。なお、感情誘導媒体の切り替えに係る処理の例が、上記（ａ）、（ｂ）に示す処理に限られないことは、言うまでもない。
【０１２２】（２−５）状態制御処理の第５の例：パターン情報の更新に係る処理  本実施形態に係る状態制御装置は、取得された状態指標に基づいて、決定された感情誘導媒体に対応付けられているパターン情報を更新する。
【０１２３】  本実施形態に係る状態制御装置は、例えば、コンテンツデータの再生が終了した後に、コンテンツデータの再生により生じた誘導対象における酵素活性度Ｓの時間的な変化のパターンによって、コンテンツデータに対応付けられているパターン情報を更新する。
【０１２４】  上記のようにパターン情報が更新されることによって、感情誘導媒体に対応付けられているパターン情報は、最新の状態にアップデートされる。
【０１２５】（２−６）状態制御処理の第６の例：状態の通知に係る処理  本実施形態に係る状態制御装置は、例えば、誘導対象における対象感情の状態を通知させてもよい。本実施形態に係る状態制御装置は、例えば、“スピーカなどの音声出力デバイスから対象感情の状態に対応する音声を出力させることなどによる聴覚的な通知”、“対象感情の状態に対応する画像を表示デバイスに表示させることや、対象感情の状態に対応する色の光をＬＥＤ（Light-Emitting  Diode）などの発光デバイスに発光させることなどによる視覚的な通知”、“対象感情の状態に対応する匂いをデバイスに出力させることによる嗅覚的な通知”、あるいは、“これらを組み合わせた通知”などによって、誘導対象における対象感情の状態を通知させる。
【０１２６】  本実施形態に係る状態制御装置が、誘導対象における対象感情の状態を通知させることによって、例えば、言葉によって「快」、「不快」などの感情を伝えることが困難な障害を持った人や患者、ペットなどの感情の状態を、周囲に伝えることが可能となる。
【０１２７】（２−７）状態制御処理の第７の例  本実施形態に係る状態制御装置は、上記（２−１）に示す第１の例に係る状態制御処理〜上記（２−６）に示す第６の例に係る状態制御処理のうちの、２以上の処理を組み合わせた処理を、行うことも可能である。
【０１２８】  本実施形態に係る状態制御装置は、本実施形態に係る状態制御方法に係る処理として、例えば、上記（１）の処理（取得処理）および上記（２）の処理（状態制御処理）を行う。
【０１２９】  なお、上述したように、上記（１）の処理（取得処理）および上記（２）の処理（状態制御処理）は、便宜上、本実施形態に係る状態制御方法に係る処理を切り分けたものであり、本実施形態に係る状態制御方法に係る処理は、上記（１）の処理（取得処理）および上記（２）の処理（状態制御処理）に限られない。
【０１３０】［３］本実施形態に係る状態制御方法に係る処理の具体例  図９は、本実施形態に係る状態制御方法に係る処理の一例を示す流れ図である。ここで、図９では、ステップＳ１０４の処理が上記（１）の処理（取得処理）の一例に該当し、ステップＳ１０６〜Ｓ１２０が、上記（２）の処理（状態制御処理）の一例に該当する。
【０１３１】  本実施形態に係る状態制御装置は、条件を設定する（Ｓ１００）。本実施形態に係る状態制御装置は、例えば、図２に示すような設定画面に対する操作に基づいて、誘導状態の条件（例えば図２のＡに示す“誘導状態の条件”）や、感情誘導媒体の検索条件（例えば、図２のＢに示す“ジャンルの条件”や、図２のＣに示す“検索範囲の条件”）を設定する。
【０１３２】  本実施形態に係る状態制御装置は、酵素センサを用いて遂次酵素の検出を行う（Ｓ１０２）。
【０１３３】  本実施形態に係る状態制御装置は、ステップＳ１０２における検出により得られた酵素の検出結果を示す情報に基づいて、酵素活性度Ｓを取得する（Ｓ１０４）。本実施形態に係る状態制御装置は、例えば、上記（１−１）に示す第１の例に係る取得処理を行い、酵素活性度Ｓを算出することによって、酵素活性度Ｓを取得する。ここで、図９では示されていないが、ステップＳ１０４の処理は、例えば、ステップＳ１０２において検出が行われるごとに行われる。
【０１３４】  本実施形態に係る状態制御装置は、酵素活性度Ｓが閾値ＳＬ以上であるか否かを判定する（Ｓ１０６）。
【０１３５】  ステップＳ１０６において酵素活性度Ｓが閾値ＳＬ以上であると判定されない場合には、本実施形態に係る状態制御装置は、後述するステップＳ１２０の処理を行う。
【０１３６】  また、ステップＳ１０６において酵素活性度Ｓが閾値ＳＬ以上であると判定された場合には、本実施形態に係る状態制御装置は、コンテンツリストを検索して、誘導対象における対象感情の状態の誘導に用いるコンテンツデータを決定する（Ｓ１０８）。
【０１３７】  図１０は、本実施形態に係る状態制御方法に係る処理の一例を示す流れ図であり、誘導対象における対象感情の状態の誘導に用いるコンテンツデータの決定に係る処理の一例を示している。
【０１３８】  本実施形態に係る状態制御装置は、図９のステップＳ１０２において逐次検出される酵素によりステップＳ１０４において取得される酵素活性度Ｓを用いて、例えば図３に示すような酵素活性度Ｓの時系列パターンを特定する（Ｓ２００）。
【０１３９】  本実施形態に係る状態制御装置は、酵素活性度Ｓの時系列パターンとは逆のパターンを有するコンテンツデータを、図４に示すようなコンテンツリストから候補コンテンツデータとして抽出する（Ｓ２０２）。
【０１４０】  本実施形態に係る状態制御装置は、設定されている誘導条件との、候補コンテンツデータのリストの照合を行う（Ｓ２０４）。本実施形態に係る状態制御装置は、ステップＳ２０４において、上記（２−３）に示す第３の例に係る状態制御処理を行い、候補コンテンツデータの中から、誘導対象における対象感情の状態の誘導に用いるコンテンツデータを見つける。ここで、本実施形態に係る状態制御装置は、例えば、自装置を検索範囲として誘導対象における対象感情の状態の誘導に用いるコンテンツデータを見つける。
【０１４１】  本実施形態に係る状態制御装置は、誘導対象における対象感情の状態の誘導に用いる最適なコンテンツデータが見つかったか否かを判定する（Ｓ２０６）。
【０１４２】  ステップＳ２０６において最適なコンテンツデータが見つかった場合には、本実施形態に係る状態制御装置は、見つかったコンテンツデータを、誘導対象における対象感情の状態の誘導に用いるコンテンツデータとして決定する（Ｓ２０８）。そして、本実施形態に係る状態制御装置は、図１０に示す処理を終了する。
【０１４３】  また、ステップＳ２０６において最適なコンテンツデータが見つからない場合には、本実施形態に係る状態制御装置は、ネットワークへと接続し（Ｓ２１０）、設定されている検索範囲の条件（例えば、図２のＣに示す“登録フレンド内”など）に基づいて、他の検索範囲を選択する（Ｓ２１２）。なお、本実施形態に係る状態制御装置は、上記（２−２）に示す第２の例に係る状態制御処理に示すように、設定されている検索範囲の条件を変更することも可能である。
【０１４４】  ステップＳ２１２のように他の検索範囲が選択されることによって、例えば、設定されたジャンルの条件に合致する、他者ユーザの効果検証済のコンテンツデータを、誘導対象における対象感情の状態の誘導に用いるコンテンツデータとして利用することが可能となる。よって、ステップＳ２１２のように他の検索範囲が選択されることによって、より効果的な対象感情の状態の誘導の実現が期待され、また、単なる機械制御とは異なり、誘導対象である人などに思わぬ発見や楽しみを感じさせることもできる。
【０１４５】  本実施形態に係る状態制御装置は、ステップＳ２１２において選択された検索範囲において、ステップＳ２０２と同様に、酵素活性度Ｓの時系列パターンとは逆のパターンを有するコンテンツデータを、コンテンツリストから候補コンテンツデータとして抽出する（Ｓ２１４）。
【０１４６】  本実施形態に係る状態制御装置は、ステップＳ２０４と同様に、設定されている誘導条件との、候補コンテンツデータのリストの照合を行い、誘導対象における対象感情の状態の誘導に用いるコンテンツデータを見つける（Ｓ２１６）。
【０１４７】  本実施形態に係る状態制御装置は、誘導対象における対象感情の状態の誘導に用いる最適なコンテンツデータが見つかったか否かを判定する（Ｓ２１８）。
【０１４８】  ステップＳ２１８において最適なコンテンツデータが見つからない場合には、本実施形態に係る状態制御装置は、ステップＳ２１２からの処理を繰り返す。
【０１４９】  また、ステップＳ２１８において最適なコンテンツデータが見つかった場合には、本実施形態に係る状態制御装置は、見つかったコンテンツデータを、誘導対象における対象感情の状態の誘導に用いるコンテンツデータとして決定する（Ｓ２２０）。そして、本実施形態に係る状態制御装置は、図１０に示す処理を終了する。
【０１５０】  本実施形態に係る状態制御装置は、図９のステップＳ１０８において、例えば図１０に示す処理を行うことによって、誘導対象における対象感情の状態の誘導に用いるコンテンツデータを決定する。なお、図９のステップＳ１０８の処理が、図１０に示す例に限られないことは、言うまでもない。
【０１５１】  再度図９を参照して、本実施形態に係る状態制御方法に係る処理の一例を説明する。本実施形態に係る状態制御装置は、ステップＳ１０８において決定されたコンテンツデータを再生する（Ｓ１１０）。また、本実施形態に係る状態制御装置は、酵素活性度Ｓをセンシングする（Ｓ１１２）。そして、本実施形態に係る状態制御装置は、再生しているコンテンツデータに対応付けられているパターン情報を、センシングされている酵素活性度Ｓに基づき更新する（Ｓ１１４）。
【０１５２】  本実施形態に係る状態制御装置は、酵素活性度Ｓが所望の状態であるか否かを判定する（Ｓ１１６）。本実施形態に係る状態制御装置は、例えば、酵素活性度Ｓが制御値Ｓａ以下である場合（または、酵素活性度Ｓが制御値Ｓａより小さい場合）に、所望の状態であると判定する。
【０１５３】  ステップＳ１１６において酵素活性度Ｓが所望の状態であると判定されない場合には、本実施形態に係る状態制御装置は、切り替えタイミングであるか否かを判定する（Ｓ１１８）。本実施形態に係る状態制御装置は、例えば上記（２−４）に示す第４の例に係る状態制御処理を行うことによって、切り替えタイミングであるか否かを判定する。
【０１５４】  ステップＳ１１８において切り替えタイミングであると判定されない場合には、本実施形態に係る状態制御装置は、例えばステップＳ１１６からの処理を繰り返す。
【０１５５】  ステップＳ１１８において切り替えタイミングであると判定された場合には、本実施形態に係る状態制御装置は、例えばステップＳ１０８からの処理を繰り返す。
【０１５６】  ステップＳ１１６において酵素活性度Ｓが所望の状態であると判定された場合、または、ステップＳ１０６において酵素活性度Ｓが閾値ＳＬ以上であると判定されない場合には、本実施形態に係る状態制御装置は、処理を終了するか否かを判定する（Ｓ１２０）。本実施形態に係る状態制御装置は、例えば、処理を終了させるボタンの押下などの処理を終了させる操作に応じた信号が検出された場合に、処理を終了すると判定する。
【０１５７】  ステップＳ１２０において処理を終了すると判定されない場合には、本実施形態に係る状態制御装置は、例えばステップＳ１０２からの処理を繰り返す。また、ステップＳ１２０において処理を終了すると判定されない場合には、本実施形態に係る状態制御装置は、図９に示す処理を終了する。
【０１５８】  本実施形態に係る状態制御装置は、本実施形態に係る状態制御方法に係る処理として、例えば図９に示す処理を行う。
【０１５９】  なお、本実施形態に係る状態制御方法に係る処理の例は、図９に示す例に限られない。
【０１６０】  例えば、本実施形態に係る状態制御装置は、ステップＳ１１２においてセンシングされた酵素活性度Ｓを、ＬＥＤなどの発光デバイスやスマートフォンなどの外部の機器へ出力させることなどによって、第三者が誘導対象の「快」、「不快」の状態の変化をリアルタイムに把握させることも可能である。
【０１６１】  また、本実施形態に係る状態制御装置は、例えば、図９に示すステップＳ１１４の処理を行わなくてもよい。
【０１６２】［４］本実施形態に係る状態制御方法の適用例  次に、本実施形態に係る状態制御方法の適用例について説明する。
【０１６３】［４−１］第１の適用例：口腔内デバイスを用いた音楽によるストレス低減  第１の適用例として、口腔内デバイスを用いた音楽によるストレス低減に係る適用例を説明する。第１の適用例は、例えば、口腔内デバイスのような誘導対象に装着されて用いられうる装置（以下、「誘導対象側の装置」と示す場合がある。）と、本実施形態に係る状態制御装置とを有する状態制御システムにより実現される。なお、第１の適用例は、口腔内デバイスが本実施形態に係る状態制御装置の役目を果たす場合であっても実現可能である。以下では、第１の適用例が状態制御システムにより実現される場合を例に挙げる。
【０１６４】  図１１は、本実施形態に係る口腔内デバイスの一例を示す説明図である。図１１に示すＡは、マウスピース型の口腔内デバイスの一例を示している。また、図１１に示すＢは、入れ歯型（例えば、全面タイプや部分タイプが存在しうる。）の口腔内デバイスの一例を示しており、図１１に示すＣは、差し歯型の口腔内デバイスの一例を示している。
【０１６５】  本実施形態に係る口腔内デバイスには、例えば図１１に示すように、酵素センサや、圧力センサ、運動センサ（例えば、加速度センサ）、位置センサ（例えば、ＧＰＳ（Global  Positioning  System）モジュールおよび地図データを記憶する記録媒体など）、蓄電モジュール、通信デバイス（例えば、ＲＦ（Radio  Frequency）モジュール）、骨伝導モジュール、発電モジュールなどの各種モジュールが、基板上に備えられる。本実施形態に係る口腔内デバイスが備える各モジュールは、例えば、基板から着脱可能であってもよい。各モジュールが基板から着脱可能である場合には、誘導対象の状態や誘導対象の要望に応じた機能を有する口腔内デバイスを実現することが可能である。
【０１６６】  また、本実施形態に係る口腔内デバイスには、例えば、ＭＰＵ（Micro  Processing  Unit）などの演算回路で構成される、１または２以上のプロセッサが備えられる。本実施形態に係る口腔内デバイスでは、例えば上記プロセッサによって、本実施形態に係る状態制御方法に係る各種処理が主導的に行われる。
【０１６７】  ここで、本実施形態に係る口腔内デバイスが用いられる場合、例えば、圧力センサの検出値により特定の噛み方が判断され、ハンズフリーでデバイスが起動・操作される。
【０１６８】  また、基板に骨伝導モジュールが備えられる場合、本実施形態に係る口腔内デバイスは、骨伝導機能（例えば、コンテンツデータが示す音声を振動数に変換し、その振動数で顎の骨から直接内耳に振動を伝えることで、音を伝達する機能）を有する。骨伝導機能が実装される場合には、誘導対象以外の第三者には音が聞こえず、誘導対象はコンテンツデータが示す音声を聴くことが可能である。
【０１６９】  本実施形態に係る口腔内デバイスでは、例えば、体温を用いた発電（例えば、熱電対構造を用いた発電）による電力や、蓄電モジュールにおいて蓄電されている電力によって動作する。蓄電モジュールが基板から取り外し可能である場合、蓄電モジュールを取り外した状態で充電を行うことが可能である。
【０１７０】  口腔内の唾液は、耳下腺、顎下腺、舌下腺から分泌されるので、本実施形態に係る口腔内デバイスでは、例えば、これらの出口に近い位置に酵素センサが配置される。
【０１７１】  図１２は、本実施形態に係る状態制御方法の第１の適用例に係る処理の一例を説明するための流れ図である。図１２では、誘導対象側の装置が「口腔内デバイス」であり、本実施形態に係る状態制御装置が「サーバ」である例を示している。
【０１７２】  誘導対象側の装置は、図９のＳ１００と同様に、条件を設定する（Ｓ３００）。図１３は、本実施形態に係る設定される条件の一例を示す説明図であり、図２と同様の条件の設定画面の一例を示している。
【０１７３】  誘導対象側の装置は、酵素センサや位置センサ、加速度センサなどを用いて、遂次酵素、位置、加速度の検出を行う（Ｓ３０２）。
【０１７４】  本実施形態に係る状態制御装置は、例えば、図９のＳ１０４と同様に酵素の検出結果を示す情報に基づいて酵素活性度Ｓを取得し、また、位置の検出結果を示す情報および加速度の検出結果を示す情報に基づいて、誘導対象の現在の運動状態を予測する（Ｓ３０４）。
【０１７５】  ここで、ステップＳ３０４において誘導対象の現在の運動状態が予測されることによって、後述するステップＳ３０８の処理において、例えば、動作ペースに近いＢＰＭ（Beat  Per  Minute）をもつコンテンツデータを、候補コンテンツデータとすることが可能となる。誘導対象が歩いている状態と予測された場合には、例えば１２０〜１３０［ｂｐｍ］をもつコンテンツデータが、候補コンテンツデータとされる。また、誘導対象が走っている状態と予測された場合には、例えば１６０〜１７５［ｂｐｍ］をもつコンテンツデータが、候補コンテンツデータとされる。
【０１７６】  本実施形態に係る状態制御装置は、酵素活性度Ｓが閾値ＳＬ以上であるか否かを判定する（Ｓ３０６）。
【０１７７】  ステップＳ３０６において酵素活性度Ｓが閾値ＳＬ以上であると判定されない場合には、本実施形態に係る状態制御装置は、誘導対象側の装置に、後述するステップＳ３２０の処理を行わせる。
【０１７８】  また、ステップＳ３０６において酵素活性度Ｓが閾値ＳＬ以上であると判定された場合には、本実施形態に係る状態制御装置は、例えば図９のＳ１０８と同様に、音楽リスト（コンテンツリストの一例）を検索して、誘導対象における対象感情の状態の誘導に用いるコンテンツデータを決定する（Ｓ３０８）。ここで、ステップＳ３０８では、例えば、位置の検出結果を示す情報を用いて誘導対象の周囲環境に近い再生場所を検索範囲とするなど、検索範囲が絞り込まれてもよい。また、ステップＳ３０８では、設定されている誘導条件に応じた値（例えば、酵素活性度の閾値ＳＬ＝１（通常平均の２倍の酵素活性度に対応）、ΔＳ＝０．５・Ｓ、相関係数の閾値ＲＬ=０．５、制御値Ｓａ＝０．３（通常平均の１．３倍の酵素活性度に対応）、ｄＳ／ｄｔは乱数によるランダム決定）を用いて、誘導対象における対象感情の状態の誘導に用いるコンテンツデータを決定する。
【０１７９】  そして、本実施形態に係る状態制御装置は、決定されたコンテンツデータを誘導対象側の装置に再生させる（感情誘導媒体に関する処理の一例）。本実施形態に係る状態制御装置は、例えば、再生処理を行わせる命令と、決定されたコンテンツデータ（または、決定されたコンテンツデータが記憶されている場所を示す情報）とを、誘導対象側の装置に送信することによって、決定されたコンテンツデータを誘導対象側の装置に再生させる。
【０１８０】  誘導対象側の装置は、例えば、骨伝導機能を利用して決定されたコンテンツデータが示す音楽を再生する（Ｓ３１０）。また、誘導対象側の装置は、酵素活性度Ｓをセンシングする（Ｓ３１２）。
【０１８１】  ステップＳ３１０において決定されたコンテンツデータが示す音楽を再生されることによって、誘導対象における対象感情の状態は、設定されている所定の状態に誘導される。なお、図１２では、コンテンツデータが音楽を示す例を示しているが、コンテンツデータは、音（川のせせらぎ、波しぶき、風の音、虫の音など）や音声（ねぎらいの言葉や、励ましの言葉など）であってもよい。
【０１８２】  本実施形態に係る状態制御装置は、センシングされている酵素活性度Ｓに基づき音楽リストデータを更新する（Ｓ３１４）。本実施形態に係る状態制御装置は、ステップＳ３１４において、例えば図９のＳ１１４と同様の処理を行う。
【０１８３】  本実施形態に係る状態制御装置は、図９のＳ１１６と同様に、酵素活性度Ｓが所望の状態であるか否かを判定する（Ｓ３１６）。
【０１８４】  ステップＳ３１６において酵素活性度Ｓが所望の状態であると判定されない場合には、本実施形態に係る状態制御装置は、図９のＳ１１８と同様に、切り替えタイミングであるか否かを判定する（Ｓ３１８）。
【０１８５】  ステップＳ３１８において切り替えタイミングであると判定されない場合には、本実施形態に係る状態制御装置は、例えばステップＳ３１６からの処理を繰り返す。
【０１８６】  ステップＳ３１８において切り替えタイミングであると判定された場合には、本実施形態に係る状態制御装置は、例えばステップＳ３０８からの処理を繰り返す。
【０１８７】  ステップＳ３１６において酵素活性度Ｓが所望の状態であると判定された場合、または、ステップＳ３０６において酵素活性度Ｓが閾値ＳＬ以上であると判定されない場合には、本実施形態に係る状態制御装置は、処理を終了するか否かを誘導対象側の装置に判定させる。本実施形態に係る状態制御装置は、上記判定に係る処理を行わせるための命令を誘導対象側の装置に送信することによって、処理を終了するか否かを誘導対象側の装置に判定させる。
【０１８８】  誘導対象側の装置は、図９のＳ１２０と同様に、処理を終了するか否かを判定する（Ｓ３２０）。
【０１８９】  ステップＳ３２０において処理を終了すると判定されない場合には、誘導対象側の装置は、例えばステップＳ３０２からの処理を繰り返す。また、ステップＳ３２０において処理を終了すると判定されない場合には、誘導対象側の装置は、図１２に示す処理を終了する。
【０１９０】  本実施形態に係る状態制御装置および誘導対象側の装置は、本実施形態に係る状態制御方法の第１の適用例に係る処理として、例えば図１２に示す処理を行う。
【０１９１】  なお、本実施形態に係る状態制御方法の第１の適用例に係る処理の例は、図１２に示す例に限られない。
【０１９２】  図１４は、本実施形態に係る状態制御方法の第１の適用例に係る処理の他の例を説明するための流れ図である。図１４では、本実施形態に係る状態制御装置が「サーバ」である例を示している。
【０１９３】  図１４に示す処理では、本実施形態に係る状態制御装置と誘導対象側の装置とは、図１２に示す処理と同様の処理を行うが、本実施形態に係る状態制御装置が、ステップＳ４０６において酵素活性度Ｓが閾値ＳＬ以上であると判定された場合に、さらにステップＳ４１２の処理を行う点が異なる。
【０１９４】  具体的は、本実施形態に係る状態制御装置は、ステップＳ４１２において、例えば図９のＳ１０８と同様の処理を行うことによって、匂いリスト（コンテンツリストの一例）や照明リスト（コンテンツリストの一例）を検索して、誘導対象における対象感情の状態の誘導に用いる匂いの出力制御データ（感情誘導媒体の一例）や照明の調整制御データ（感情誘導媒体の一例）を決定する。そして、本実施形態に係る状態制御装置は、例えば、決定された匂いの出力制御データや照明の調整制御データを、外部デバイスに送信することによって、匂いの出力制御データに応じた匂いの出力や、照明の調整制御データに応じた照明の調整を、当該外部デバイスに行わせる（感情誘導媒体に関する処理の一例）。
【０１９５】  例えば図１４のステップＳ４１２の処理が行われることによって、音楽だけでなく、匂いの効果や照明効果が加わった感情の状態の誘導（ストレス低減）を実現することが可能となる。なお、さらなるストレス低減を実現するための効果が、匂いの効果や照明効果に限られないことは、言うまでもない。
【０１９６】［４−２］第２の適用例：画像、テキストによるストレス低減  第２の適用例として、画像、テキストによるストレス低減に係る適用例を説明する。第２の適用例は、誘導対象側の装置と、本実施形態に係る状態制御装置とを有する状態制御システムにより実現される。なお、第２の適用例は、誘導対象側の装置が本実施形態に係る状態制御装置の役目を果たす場合であっても実現可能である。以下では、第２の適用例が状態制御システムにより実現される場合を例に挙げる。
【０１９７】  図１５は、本実施形態に係る状態制御方法の第２の適用例に係る処理の一例を説明するための流れ図である。図１５では、誘導対象側の装置が「口腔内デバイス」であり、本実施形態に係る状態制御装置が表示部（後述する）を備える「ディスプレイ機能付きデバイス」である例を示している。
【０１９８】  誘導対象側の装置は、図１２のＳ３００と同様に、条件を設定する（Ｓ５００）。
【０１９９】  誘導対象側の装置は、図１２のＳ３０２と同様に、酵素センサや位置センサ、加速度センサなどを用いて、遂次酵素、位置、加速度の検出を行う（Ｓ５０２）。
【０２００】  本実施形態に係る状態制御装置は、例えば、図１２のＳ３０４と同様に、酵素活性度Ｓを取得し、誘導対象の現在の運動状態を予測する（Ｓ５０４）。
【０２０１】  本実施形態に係る状態制御装置は、酵素活性度Ｓが閾値ＳＬ以上であるか否かを判定する（Ｓ５０６）。
【０２０２】  ステップＳ５０６において酵素活性度Ｓが閾値ＳＬ以上であると判定されない場合には、本実施形態に係る状態制御装置は、誘導対象側の装置に、後述するステップＳ５２０の処理を行わせる。
【０２０３】  また、ステップＳ５０６において酵素活性度Ｓが閾値ＳＬ以上であると判定された場合には、本実施形態に係る状態制御装置は、例えば図１２のＳ３０８と同様に、コンテンツリストを検索して、誘導対象における対象感情の状態の誘導に用いるコンテンツデータを決定する（Ｓ５０８）。ここで、ステップＳ５０８において決定されるコンテンツデータとしては、例えば、画像やテキストを示すデータが挙げられる。
【０２０４】  そして、本実施形態に係る状態制御装置は、決定されたコンテンツデータを再生し、表示部（後述する）の表示画面や、外部の表示デバイスの表示画面に、コンテンツデータが示す画像やテキストを表示させる（Ｓ５１０。感情誘導媒体に関する処理の一例）。本実施形態に係る状態制御装置が、ステップＳ５１０において決定されたコンテンツデータを再生されることによって、誘導対象における対象感情の状態は、表示画面に表示された画像やテキストによって、設定されている所定の状態に誘導される。
【０２０５】  誘導対象側の装置は、酵素活性度Ｓをセンシングする（Ｓ５１２）。
【０２０６】  本実施形態に係る状態制御装置は、例えば図９のＳ１１４と同様に、再生したコンテンツデータに対応付けられているパターン情報を、センシングされている酵素活性度Ｓに基づき更新する（Ｓ５１４）。
【０２０７】  本実施形態に係る状態制御装置は、図１２のＳ３１６と同様に、酵素活性度Ｓが所望の状態であるか否かを判定する（Ｓ５１６）。
【０２０８】  ステップＳ５１６において酵素活性度Ｓが所望の状態であると判定されない場合には、本実施形態に係る状態制御装置は、図１２のＳ３１８と同様に、切り替えタイミングであるか否かを判定する（Ｓ５１８）。
【０２０９】  ステップＳ５１８において切り替えタイミングであると判定されない場合には、本実施形態に係る状態制御装置は、例えばステップＳ５１６からの処理を繰り返す。
【０２１０】  ステップＳ５１８において切り替えタイミングであると判定された場合には、本実施形態に係る状態制御装置は、例えばステップＳ５０８からの処理を繰り返す。
【０２１１】  ステップＳ５１６において酵素活性度Ｓが所望の状態であると判定された場合、または、ステップＳ５０６において酵素活性度Ｓが閾値ＳＬ以上であると判定されない場合には、本実施形態に係る状態制御装置は、処理を終了するか否かを誘導対象側の装置に判定させる。
【０２１２】  誘導対象側の装置は、図１２のＳ３２０と同様に、処理を終了するか否かを判定する（Ｓ５２０）。
【０２１３】  ステップＳ５２０において処理を終了すると判定されない場合には、誘導対象側の装置は、例えばステップＳ５０２からの処理を繰り返す。また、ステップＳ５２０において処理を終了すると判定された場合には、誘導対象側の装置は、図１５に示す処理を終了する。
【０２１４】  本実施形態に係る状態制御装置および誘導対象側の装置は、本実施形態に係る状態制御方法の第２の適用例に係る処理として、例えば図１５に示す処理を行う。なお、本実施形態に係る状態制御方法の第２の適用例に係る処理の例が、図１５に示す例に限られないことは、言うまでもない。
【０２１５】［４−３］第３の適用例：プログラムの変更（例えば、ゲームの難易度やシーンの変更）  第３の適用例として、プログラムの変更に係る第１の適用例を説明する。第３の適用例は、誘導対象側の装置と、本実施形態に係る状態制御装置とを有する状態制御システムにより実現される。なお、第３の適用例は、誘導対象側の装置が本実施形態に係る状態制御装置の役目を果たす場合であっても実現可能である。以下では、第３の適用例が状態制御システムにより実現される場合を例に挙げる。
【０２１６】  図１６は、本実施形態に係る状態制御方法の第３の適用例に係る処理の一例を説明するための流れ図である。図１６では、誘導対象側の装置が「口腔内デバイス」であり、本実施形態に係る状態制御装置が「ゲーム機本体」である例を示している。また、図１６では、状態制御システムが、誘導対象の体表（例えば手など）の発汗や脈拍を検出する機能を有するゲーム機コントローラをさらに有する例を示している。なお、第３の適用例に係る状態制御システムは、図１６に示すゲーム機コントローラを有していなくてもよい。
【０２１７】  誘導対象側の装置は、図１２のＳ３００と同様に、条件を設定する（Ｓ６００）。図１７は、本実施形態に係る設定される条件の一例を示す説明図であり、条件の設定画面の一例を示している。
【０２１８】  誘導対象側の装置は、図１２のＳ３０２と同様に、酵素センサや位置センサ、加速度センサなどを用いて、遂次酵素、位置、加速度の検出を行う（Ｓ６０２）。
【０２１９】  ゲーム機コントローラは、図１２のＳ３００と同様に、条件を設定する（Ｓ６０４）。
【０２２０】  ゲーム機コントローラは、備えている各種センサを用いて、発汗量や脈拍などの検出を行う（Ｓ６０６）。
【０２２１】  本実施形態に係る状態制御装置は、例えば、実効的な酵素活性度Ｓ’を取得し、また、図１２のＳ５０４と同様に誘導対象の現在の運動状態を予測する（Ｓ６０８）。
【０２２２】  ここで、本実施形態に係る状態制御装置は、例えば、図１２のＳ５０４と同様に酵素活性度Ｓを取得する。また、本実施形態に係る状態制御装置は、酵素活性度Ｓと、ステップＳ６０６のおいて検出された発汗量を示す情報（生体情報の一例）と、ステップＳ６０６のおいて検出された脈拍を示す情報（生体情報の一例）とを用いて下記の数式２の演算を行うことによって、実効的な酵素活性度Ｓ’を取得する。下記の数式２は、“ステップＳ６０６において検出された発汗量を示す情報に基づく、平常時の値で規格化された発汗量Ｐ”と、“ステップＳ６０６のおいて検出された脈拍を示す情報に基づく、平常時の値で規格化された脈拍Ｂ”との効果を考慮して酵素活性度を算出する式である。
【０２２３】  また、下記の数式２に示す“βＳ”、“βＰ”、“βＢ”は、重み付けパラメータであり、酵素、発汗、脈拍のどの検出結果に重みをおくかによって、“βＳ”、“βＰ”、“βＢ”の値は変わる。なお、例えば、酵素、発汗、脈拍の各検出結果が考慮されていれば、実効的な酵素活性度Ｓ’の算出方法は、下記の数式２に限られない。
【０２２４】
【数１】
0006488485.tif 000002
【０２２５】  本実施形態に係る状態制御装置は、実効的な酵素活性度Ｓ’が閾値ＳＬ以上であるか否かを判定する（Ｓ６１０）。
【０２２６】  ステップＳ６１０において酵素活性度Ｓが閾値ＳＬ以上であると判定されない場合には、本実施形態に係る状態制御装置は、後述するステップＳ６２４の処理を行う。
【０２２７】  また、ステップＳ６１０において実効的な酵素活性度Ｓ’が閾値ＳＬ以上であると判定された場合には、本実施形態に係る状態制御装置は、例えば図１２のＳ３０８と同様に、コンテンツリストを検索して、誘導対象における対象感情の状態の誘導に用いるコンテンツデータを決定する（Ｓ６１２）。
【０２２８】  ここで、ステップＳ６１２において決定されるコンテンツデータとしては、例えば、ゲームの難易度やシーンの変更に係るプログラムが挙げられる。以下では、ステップＳ６１２において決定されるコンテンツデータが、ゲームのシーンの変更に係るプログラムである場合を例に挙げる。図１８は、本実施形態に係るコンテンツリストの一例を示す説明図である。
【０２２９】  そして、本実施形態に係る状態制御装置は、決定されたコンテンツデータを再生し、表示部（後述する）の表示画面などに、コンテンツデータの再生結果に対応するシーンに応じた画像などを表示させる（Ｓ６１４。感情誘導媒体に関する処理の一例）。
【０２３０】  図１９は、本実施形態に係る状態制御方法の第３の適用例に係る処理を説明するための説明図であり、本実施形態に係る状態制御装置におけるステップＳ６１４の処理によるゲームのシーンの変更の概念を示している。
【０２３１】  本実施形態に係る状態制御装置が、ステップＳ６１４において決定されたコンテンツデータを再生することによって、誘導対象における対象感情の状態に応じて、図１９に示すようにシーンが切り替わる。よって、本実施形態に係る状態制御装置が、ステップＳ６１４において決定されたコンテンツデータを再生することによって、誘導対象における対象感情の状態は、設定されている所定の状態に誘導される。
【０２３２】  本実施形態に係る状態制御装置は、図９のステップＳ１１２と同様に、酵素活性度Ｓをセンシングする（Ｓ６１６）。
【０２３３】  本実施形態に係る状態制御装置は、例えば図９のＳ１１４と同様に、再生したコンテンツデータに対応付けられているパターン情報を、センシングされている酵素活性度Ｓに基づき更新する（Ｓ６１８）。また、本実施形態に係る状態制御装置は、ステップＳ６１８において、例えば、算出される実効的な酵素活性度Ｓ’に基づいて、再生したコンテンツデータに対応付けられているパターン情報を更新してもよい。
【０２３４】  本実施形態に係る状態制御装置は、図１２のＳ３１６と同様に、酵素活性度Ｓが所望の状態であるか否かを判定する（Ｓ６２０）。また、本実施形態に係る状態制御装置は、ステップＳ６１８において、例えば、算出される実効的な酵素活性度Ｓ’が所望の状態であるか否かを判定してもよい。
【０２３５】  ステップＳ６２０において酵素活性度Ｓが所望の状態であると判定されない場合には、本実施形態に係る状態制御装置は、図１２のＳ３１８と同様に、切り替えタイミングであるか否かを判定する（Ｓ６２２）。
【０２３６】  ステップＳ６２２において切り替えタイミングであると判定されない場合には、本実施形態に係る状態制御装置は、例えばステップＳ６２０からの処理を繰り返す。
【０２３７】  ステップＳ６２２において切り替えタイミングであると判定された場合には、本実施形態に係る状態制御装置は、例えばステップＳ６１２からの処理を繰り返す。
【０２３８】  ステップＳ６２０において酵素活性度Ｓが所望の状態であると判定された場合、または、ステップＳ６１０において酵素活性度Ｓが閾値ＳＬ以上であると判定されない場合には、本実施形態に係る状態制御装置は、図９のステップＳ１２０と同様に、処理を終了するか否かを判定する（Ｓ６２４）。
【０２３９】  ステップＳ６２４において処理を終了すると判定されない場合には、本実施形態に係る状態制御装置は、誘導対象側の装置に、例えばステップＳ６０２からの処理を行わせる。また、ステップＳ６２４において処理を終了すると判定された場合には、本実施形態に係る状態制御装置は、図１６に示す処理を終了する。
【０２４０】  本実施形態に係る状態制御装置および誘導対象側の装置は、本実施形態に係る状態制御方法の第３の適用例に係る処理として、例えば図１６に示す処理を行う。ここで、図１６に示す処理が行われる場合には、例えば、誘導対象のユーザの状態に応じて、当該ユーザに合ったゲームシーンを提供することが可能となるので、ユーザのゲームに対する興奮度や満足感を効率よく持続させることができる。
【０２４１】  なお、本実施形態に係る状態制御方法の第３の適用例に係る処理の例は、図１６に示す例に限られない。
【０２４２】  例えば、本実施形態に係る状態制御装置は、プログラムを変更することによって、誘導対象のユーザの状態に応じてゲームの難易度を変えることも可能である。ゲームの難易度を変える場合であっても、ユーザのゲームに対する興奮度や満足感を効率よく持続させることができる。
【０２４３】  また、本実施形態に係る状態制御方法の第３の適用例に係る処理は、例えば、図１６に示すゲーム機本体をアトラクション装置に置き換え、また、図１６に示すゲーム機器コントローラをアトラクションに用いるアイテムなどに置き換えることによって、アミューズメントパークのアトラクションなどにも応用することができる。
【０２４４】［４−４］第４の適用例：プログラムの変更（例えば、安全ロックレベルの変更）  第４の適用例として、プログラムの変更に係る第２の適用例を説明する。第４の適用例は、誘導対象側の装置と、本実施形態に係る状態制御装置とを有する状態制御システムにより実現される。なお、第４の適用例は、誘導対象側の装置が本実施形態に係る状態制御装置の役目を果たす場合であっても実現可能である。以下では、第４の適用例が状態制御システムにより実現される場合を例に挙げる。
【０２４５】  図２０は、本実施形態に係る状態制御方法の第４の適用例に係る処理の一例を説明するための流れ図である。図２０では、誘導対象側の装置が「口腔内デバイス」であり、本実施形態に係る状態制御装置が「サーバ」である例を示している。
【０２４６】  誘導対象側の装置は、図１２のＳ３００と同様に、条件を設定する（Ｓ７００）。
【０２４７】  誘導対象側の装置は、図１２のＳ３０２と同様に、酵素センサや位置センサ、加速度センサなどを用いて、遂次酵素、位置、加速度の検出を行う（Ｓ７０２）。
【０２４８】  本実施形態に係る状態制御装置は、例えば、図１２のＳ３０４と同様に、酵素活性度Ｓを取得し、誘導対象の現在の運動状態を予測する（Ｓ７０４）。
【０２４９】  本実施形態に係る状態制御装置は、酵素活性度Ｓが閾値ＳＬ以上であるか否かを判定する（Ｓ７０６）。
【０２５０】  ステップＳ７０６において酵素活性度Ｓが閾値ＳＬ以上であると判定されない場合には、本実施形態に係る状態制御装置は、誘導対象側の装置に、後述するステップＳ７１８の処理を行わせる。
【０２５１】  また、ステップＳ７０６において酵素活性度Ｓが閾値ＳＬ以上であると判定された場合には、本実施形態に係る状態制御装置は、例えば図１２のＳ３０８と同様に、プログラムリストを検索して、誘導対象における対象感情の状態の誘導に用いるプログラムを決定する（Ｓ７０８）。ここで、ステップＳ７０８において決定されるプログラムとしては、例えば、電子機器（例えば、工場機器、乗り物、医療機器など）の安全ロックレベルを設定するプログラムが挙げられる。
【０２５２】  そして、本実施形態に係る状態制御装置は、決定されたプログラムを、外部の安全制御装置に実行させる（感情誘導媒体に関する処理の一例）。本実施形態に係る状態制御装置は、例えば、プログラムの実行命令と、決定されたプログラム（または、決定されたプログラムが記憶されている場所を示す情報）とを、安全制御装置に送信することによって、決定されたプログラムを安全制御装置に実行させる。
【０２５３】  本実施形態に係る状態制御装置が、決定されたプログラムを安全制御装置に実行させることによって、安全制御装置のロックレベルを、誘導対象における対象感情の状態に応じて変化させることができる。よって、本実施形態に係る状態制御装置が、決定されたプログラムを安全制御装置に実行させることによって、例えば、誘導対象のユーザの「不快」な感情に起因する機器の誤操作を抑制することが可能となる。
【０２５４】  誘導対象側の装置は、酵素活性度Ｓをセンシングする（Ｓ７１０）。
【０２５５】  本実施形態に係る状態制御装置は、プログラムリストデータを更新する（Ｓ７１２）。本実施形態に係る状態制御装置は、ステップＳ７１２において、例えば図９のＳ１１４と同様に、実行させたプログラムに対応付けられているパターン情報を、センシングされている酵素活性度Ｓに基づき更新する。
【０２５６】  本実施形態に係る状態制御装置は、図１２のＳ３１６と同様に、酵素活性度Ｓが所望の状態であるか否かを判定する（Ｓ７１４）。
【０２５７】  ステップＳ７１４において酵素活性度Ｓが所望の状態であると判定されない場合には、本実施形態に係る状態制御装置は、図１２のＳ３１８と同様に、切り替えタイミングであるか否かを判定する（Ｓ７１６）。
【０２５８】  ステップＳ７１６において切り替えタイミングであると判定されない場合には、本実施形態に係る状態制御装置は、例えばステップＳ７１４からの処理を繰り返す。
【０２５９】  ステップＳ７１６において切り替えタイミングであると判定された場合には、本実施形態に係る状態制御装置は、例えばステップＳ７０８からの処理を繰り返す。
【０２６０】  ステップＳ７１４において酵素活性度Ｓが所望の状態であると判定された場合、または、ステップＳ７０６において酵素活性度Ｓが閾値ＳＬ以上であると判定されない場合には、本実施形態に係る状態制御装置は、処理を終了するか否かを誘導対象側の装置に判定させる。
【０２６１】  誘導対象側の装置は、図１２のＳ３２０と同様に、処理を終了するか否かを判定する（Ｓ７１８）。
【０２６２】  ステップＳ７１８において処理を終了すると判定されない場合には、誘導対象側の装置は、例えばステップＳ７０２からの処理を繰り返す。また、ステップＳ７１８において処理を終了すると判定された場合には、誘導対象側の装置は、図２０に示す処理を終了する。
【０２６３】  本実施形態に係る状態制御装置および誘導対象側の装置は、本実施形態に係る状態制御方法の第４の適用例に係る処理として、例えば図２０に示す処理を行う。
【０２６４】  なお、本実施形態に係る状態制御方法の第４の適用例に係る処理の例は、図２０に示す例に限られない。
【０２６５】  例えば、本実施形態に係る状態制御装置がステップＳ７０８において決定するプログラムが、ロボット（例えば、介護ロボットや見守りロボットなど）の制御プログラムである場合には、誘導対象のユーザの「快」、「不快」の感情を把握したより人間の感覚に近い動作、しぐさ、音声出力が可能なロボットを実現することが可能となる。
【０２６６】［４−５］第５の適用例：誘導対象の対象感情の状態の通知  第５の適用例として、誘導対象の対象感情の状態の通知に係る適用例を説明する。第５の適用例は、誘導対象側の装置と、本実施形態に係る状態制御装置とを有する状態制御システムにより実現される。なお、第５の適用例は、誘導対象側の装置が本実施形態に係る状態制御装置の役目を果たす場合であっても実現可能である。以下では、第５の適用例が状態制御システムにより実現される場合を例に挙げる。
【０２６７】  図２１は、本実施形態に係る状態制御方法の第５の適用例に係る処理の一例を説明するための流れ図である。図２１では、誘導対象側の装置が「口腔内デバイス」であり、本実施形態に係る状態制御装置が「サーバ」である例を示している。
【０２６８】  誘導対象側の装置は、図１２のＳ３００と同様に、条件を設定する（Ｓ８００）。
【０２６９】  誘導対象側の装置は、図１２のＳ３０２と同様に、酵素センサや位置センサ、加速度センサなどを用いて、遂次酵素、位置、加速度の検出を行う（Ｓ８０２）。
【０２７０】  本実施形態に係る状態制御装置は、例えば、図１２のＳ３０４と同様に、酵素活性度Ｓを取得し、誘導対象の現在の運動状態を予測する（Ｓ８０４）。
【０２７１】  本実施形態に係る状態制御装置は、酵素活性度Ｓが閾値ＳＬ以上であるか否かを判定する（Ｓ８０６）。
【０２７２】  ステップＳ８０６において酵素活性度Ｓが閾値ＳＬ以上であると判定されない場合には、本実施形態に係る状態制御装置は、誘導対象側の装置に、後述するステップＳ８２０の処理を行わせる。
【０２７３】  また、ステップＳ８０６において酵素活性度Ｓが閾値ＳＬ以上であると判定された場合には、本実施形態に係る状態制御装置は、例えば図１２のＳ３０８と同様に、音楽リストを検索して、誘導対象における対象感情の状態の誘導に用いるコンテンツデータを決定する（Ｓ８０８）。ここで、ステップＳ８０８において決定されるコンテンツデータは、例えば音楽を示すデータである。
【０２７４】  そして、本実施形態に係る状態制御装置は、決定されたコンテンツデータを誘導対象側の装置に再生させる（感情誘導媒体に関する処理の一例）。本実施形態に係る状態制御装置が、ステップＳ８０８において決定されたコンテンツデータを再生されることによって、誘導対象における対象感情の状態は、再生されたコンテンツデータが示す音楽によって、設定されている所定の状態に誘導される。
【０２７５】  また、ステップＳ８０６において酵素活性度Ｓが閾値ＳＬ以上であると判定された場合、本実施形態に係る状態制御装置は、例えば、酵素活性度Ｓの値に応じた色の光を、発光デバイスに発光させる。本実施形態に係る状態制御装置は、例えば、酵素活性度Ｓの値に応じた色の光を発光させる命令を、発光デバイス（または発光デバイスを備える装置）に送信することによって、酵素活性度Ｓの値に応じた色の光を、発光デバイスに発光させる。
【０２７６】  第５の適用例に係る発光デバイスは、例えば、指輪型の装置、ネックレス型の装置、首輪型の装置、メガネ型の装置、ピアス型の装置など、誘導対象が装着することが可能な任意の装置に備えられる。また、発光デバイスは、誘導対象が装着することが可能な装置に備えられることに限られず、誘導対象以外の第三者が、発光デバイスが発する光を誘導対象と対応付けて把握することが可能な任意の装置に備えられていてもよい。
【０２７７】  なお、図２１では示していないが、本実施形態に係る状態制御装置は、例えば、ステップＳ８０６において酵素活性度Ｓが閾値ＳＬ以上であると判定されて以降、後述するステップＳ８２０において処理が終了すると判定されるまで、発光デバイスの発光の制御に係る処理を行う。
【０２７８】  誘導対象側の装置は、例えば、骨伝導機能を利用して決定されたコンテンツデータが示す音楽を再生する（Ｓ８１０）。また、誘導対象側の装置は、酵素活性度Ｓをセンシングする（Ｓ８１２）。
【０２７９】  本実施形態に係る状態制御装置は、例えば図１２のＳ３１４と同様に、センシングされている酵素活性度Ｓに基づき音楽リストデータを更新する（Ｓ８１４）。
【０２８０】  本実施形態に係る状態制御装置は、図１２のＳ３１６と同様に、酵素活性度Ｓが所望の状態であるか否かを判定する（Ｓ８１６）。
【０２８１】  ステップＳ８１６において酵素活性度Ｓが所望の状態であると判定されない場合には、本実施形態に係る状態制御装置は、図１２のＳ３１８と同様に、切り替えタイミングであるか否かを判定する（Ｓ８１８）。
【０２８２】  ステップＳ８１８において切り替えタイミングであると判定されない場合には、本実施形態に係る状態制御装置は、例えばステップＳ８１６からの処理を繰り返す。
【０２８３】  ステップＳ８１８において切り替えタイミングであると判定された場合には、本実施形態に係る状態制御装置は、例えばステップＳ８０８からの処理を繰り返す。
【０２８４】  ステップＳ８１６において酵素活性度Ｓが所望の状態であると判定された場合、または、ステップＳ８０６において酵素活性度Ｓが閾値ＳＬ以上であると判定されない場合には、本実施形態に係る状態制御装置は、処理を終了するか否かを誘導対象側の装置に判定させる。
【０２８５】  誘導対象側の装置は、図１２のＳ３２０と同様に、処理を終了するか否かを判定する（Ｓ８２０）。
【０２８６】  ステップＳ８２０において処理を終了すると判定されない場合には、誘導対象側の装置は、例えばステップＳ８０２からの処理を繰り返す。また、ステップＳ８２０において処理を終了すると判定された場合には、誘導対象側の装置は、図２１に示す処理を終了する。
【０２８７】  本実施形態に係る状態制御装置および誘導対象側の装置は、本実施形態に係る状態制御方法の第５の適用例に係る処理として、例えば図２１に示す処理を行う。図２１に示す処理が行われることによって、誘導対象の対象感情を所定の状態に誘導することができるだけでなく、誘導対象の対象感情の状態を、誘導対象以外の第三者に通知することができる。よって、本実施形態に係る状態制御方法の第５の適用例に係る処理が行われることによって、誘導対象が、例えば、言葉によって「快」、「不快」などの感情を伝えることが困難な障害を持った人や患者、ペットなどである場合であっても、誘導対象の感情の状態を、周囲の第三者に伝えることが可能となる。
【０２８８】  なお、本実施形態に係る状態制御方法の第５の適用例に係る処理の例が、図２１に示す例に限られないことは、言うまでもない。
【０２８９】［４−６］第６の適用例：プログラムの変更（例えば、店頭などに設置されている表示装置の表示画面における可変表示）  第４の適用例として、プログラムの変更に係る第３の適用例を説明する。第６の適用例は、誘導対象側の装置と、本実施形態に係る状態制御装置とを有する状態制御システムにより実現される。なお、第６の適用例は、誘導対象側の装置が本実施形態に係る状態制御装置の役目を果たす場合であっても実現可能である。以下では、第６の適用例が状態制御システムにより実現される場合を例に挙げる。
【０２９０】  図２２は、本実施形態に係る状態制御方法の第６の適用例に係る処理の一例を説明するための流れ図である。図２２では、誘導対象側の装置が「口腔内デバイス」であり、本実施形態に係る状態制御装置が「サーバ」である例を示している。
【０２９１】  誘導対象側の装置は、図１２のＳ３００と同様に、条件を設定する（Ｓ９００）。
【０２９２】  誘導対象側の装置は、図１２のＳ３０２と同様に、酵素センサや位置センサ、加速度センサなどを用いて、遂次酵素、位置、加速度の検出を行う（Ｓ９０２）。
【０２９３】  本実施形態に係る状態制御装置は、例えば、図１２のＳ３０４と同様に、酵素活性度Ｓを取得し、誘導対象の現在の運動状態を予測する（Ｓ９０４）。
【０２９４】  本実施形態に係る状態制御装置は、酵素活性度Ｓが閾値ＳＬ以上であるか否かを判定する（Ｓ９０６）。
【０２９５】  ステップＳ９０６において酵素活性度Ｓが閾値ＳＬ以上であると判定されない場合には、本実施形態に係る状態制御装置は、誘導対象側の装置に、後述するステップＳ９１８の処理を行わせる。
【０２９６】  また、ステップＳ９０６において酵素活性度Ｓが閾値ＳＬ以上であると判定された場合には、本実施形態に係る状態制御装置は、例えば図１２のＳ３０８と同様に、プログラムリストを検索して、誘導対象における対象感情の状態の誘導に用いるプログラムを決定する（Ｓ９０８）。ここで、ステップＳ９０８において決定されるプログラムとしては、例えば、商品やサービスなどを紹介する画像などを表示させるプログラムが挙げられる。
【０２９７】  ここで、複数の誘導対象が存在する場合には、本実施形態に係る状態制御装置は、例えば、誘導対象それぞれの酵素活性度Ｓを加味して、誘導対象における対象感情の状態の誘導に用いるプログラムを決定することも可能である。複数の誘導対象の酵素活性度Ｓを加味する場合、本実施形態に係る状態制御装置は、例えば、酵素活性度Ｓが閾値ＳＬ以上である複数の誘導対象の酵素活性度Ｓの平均値を算出し、酵素活性度Ｓの平均値の時間的な変化のパターンを用いて、誘導対象における対象感情の状態の誘導に用いるプログラムを決定する。なお、複数の誘導対象の酵素活性度Ｓを加味する場合の処理が、上記に示す例に限られないことは、言うまでもない。
【０２９８】  そして、本実施形態に係る状態制御装置は、決定されたプログラムを、外部の表示装置に実行させる（感情誘導媒体に関する処理の一例）。本実施形態に係る状態制御装置は、例えば、プログラムの実行命令と、決定されたプログラム（または、決定されたプログラムが記憶されている場所を示す情報）とを、表示装置に送信することによって、決定されたプログラムを表示装置に実行させる。
【０２９９】  本実施形態に係る状態制御装置が、決定されたプログラムを表示装置に実行させることによって、表示装置の表示画面の表示を変更させることができる。よって、本実施形態に係る状態制御装置が、決定されたプログラムを表示装置に実行させることによって、例えば、誘導対象における対象感情の状態は、設定されている所定の状態に誘導される。
【０３００】  誘導対象側の装置は、酵素活性度Ｓをセンシングする（Ｓ９１０）。
【０３０１】  本実施形態に係る状態制御装置は、例えば図２０のステップＳ７１２と同様に、プログラムリストデータを更新する（Ｓ９１２）。
【０３０２】  本実施形態に係る状態制御装置は、図１２のＳ３１６と同様に、酵素活性度Ｓが所望の状態であるか否かを判定する（Ｓ９１４）。
【０３０３】  ステップＳ９１４において酵素活性度Ｓが所望の状態であると判定されない場合には、本実施形態に係る状態制御装置は、図１２のＳ３１８と同様に、切り替えタイミングであるか否かを判定する（Ｓ９１６）。
【０３０４】  ステップＳ９１６において切り替えタイミングであると判定されない場合には、本実施形態に係る状態制御装置は、例えばステップＳ９１４からの処理を繰り返す。
【０３０５】  ステップＳ９１６において切り替えタイミングであると判定された場合には、本実施形態に係る状態制御装置は、例えばステップＳ９０８からの処理を繰り返す。
【０３０６】  ステップＳ９１４において酵素活性度Ｓが所望の状態であると判定された場合、または、ステップＳ９０６において酵素活性度Ｓが閾値ＳＬ以上であると判定されない場合には、本実施形態に係る状態制御装置は、処理を終了するか否かを誘導対象側の装置に判定させる。
【０３０７】  誘導対象側の装置は、図１２のＳ３２０と同様に、処理を終了するか否かを判定する（Ｓ９１８）。
【０３０８】  ステップＳ９１８において処理を終了すると判定されない場合には、誘導対象側の装置は、例えばステップＳ９０２からの処理を繰り返す。また、ステップＳ９１８において処理を終了すると判定された場合には、誘導対象側の装置は、図２２に示す処理を終了する。
【０３０９】  本実施形態に係る状態制御装置および誘導対象側の装置は、本実施形態に係る状態制御方法の第６の適用例に係る処理として、例えば図２２に示す処理を行う。
【０３１０】  なお、本実施形態に係る状態制御方法の第６の適用例に係る処理の例は、図２２に示す例に限られない。
【０３１１】  例えば、本実施形態に係る状態制御装置がステップＳ９０８において決定するプログラムは、表示の変更に係るプログラムに限られず、さらに音声や匂いなどを変更するためのプログラムであってもよい。
【０３１２】［４−７］第７の適用例  第４の適用例として、上述した第１の適用例に係る状態制御システム（または状態制御装置）〜上述した第６の適用例に係る状態制御システム（または状態制御装置）を用いて実現することが可能なサービスの一例について説明する。
【０３１３】  図２３は、本実施形態に係る状態制御システム（または本実施形態に係る状態制御装置）を用いて実現することが可能なサービスの一例を説明するための説明図である。以下では、本実施形態に係る状態制御システムを用いてサービスが提供される場合を例に挙げる。
【０３１４】  例えば、サービスの提供を所望する人が、サービスに対応するホームページ（ＨＰ）へアクセスし、または、直接サービスに対応する店舗へ行き、必要事項の記入をすることで契約が成立して、サービスが開始される。
【０３１５】  提供されるサービス（以下、「提供サービス」と示す。）としては、例えば、配信環境のメンテナンスと、酵素活性度Ｓの変化に応じたコンテンツデータ（例えば、音楽（曲や音）や、映像（動画、静止画）、テキスト（文字列）、音声を示すデータや、プログラムなど）の配信とが挙げられる。コンテンツデータに含まれうる上記プログラムは、電子機器の動作を規定する。
【０３１６】  外部刺激が、提供サービスを受けるユーザ（誘導対象の一例）に加わった場合、本実施形態に係る状態制御システムは、酵素活性度Ｓの変化に応じて、提供サービスに係る上記コンテンツデータを、ユーザが所持する装置（例えば誘導対象側の装置）や、ユーザの周囲の電子機器（例えば、オーディオ機器や、ゲーム機器、テレビ受像機、ディスプレイ、ＰＣ、スマートフォン、タブレット型の装置、電子書籍デバイス、時計、照明装置、芳香装置、エアコン、冷蔵庫、放送機器、アトラクション機器、乗り物、工場機器、医療機器、ロボットなど）に配信する。上記コンテンツデータの配信によって、ユーザや電子機器の状態の維持や変化を、無意識に起こすことが可能となる。
【０３１７】［５］本実施形態に係る状態制御方法に係る処理が行われるにより奏される効果  本実施形態に係る状態制御方法に係る処理が行われるにより、例えば下記の（Ａ）〜（Ｄ）に示すような効果が奏される。なお、本実施形態に係る状態制御方法に係る処理が行われるにより奏される効果が、下記の（Ａ）〜（Ｄ）に示す効果に限られないことは、言うまでもない。
【０３１８】（Ａ）コンテンツデータには、過去のユーザの生体情報の変化の時系列データが付随しているため、どのタイミングでコンテンツデータを再生させればよいかの予測がより適切にたち、ユーザの対象感情の状態を所望の状態へと自然で効果的に誘導することが可能である（例えばエンターテイメントからヘルスケアに至る様々な領域において、当該効果は奏される。）。
【０３１９】（Ｂ）検索範囲の設定に応じて、誘導対象のユーザ自身だけでなく、自分の好みに近い他者において誘導の効果のあったコンテンツデータも再利用することが可能であるため、より効果的に所望の状態の変化を実現することができる。また、その際、ユーザの馴染みのないコンテンツデータも再生されうるので、単なる機械制御とは異なり、思わぬ発見や楽しみを、誘導対象のユーザに感じさせることができる。その結果、本実施形態に係る状態制御システム（または本実施形態に係る状態制御装置）の使用頻度に依存せず、効果を継続させることが可能となる。
【０３２０】（Ｃ）誘導対象における対象感情の状態の変化を、誘導対象以外の第三者に通知することが可能であるので、言葉や表情で感情を伝えることが困難な誘導対象（例えば、障害を持った人や患者、ペットなど）であっても、第三者との感情の共有が可能である。
【０３２１】（Ｄ）コンテンツデータを装置（例えば、工場機器、乗り物、医療機器など）の安全ロックレベルを制御するプログラムとすることによって、誘導対象のユーザの不快感情に起因する装置の誤操作の抑制を図ることができる。
【０３２２】（本実施形態に係る状態制御装置、状態制御システム）  次に、上述した本実施形態に係る状態制御方法に係る処理を行うことが可能な、本実施形態に係る状態制御装置の構成の一例と、本実施形態に係る状態制御システムの構成の一例とについて説明する。
【０３２３】［Ｉ］本実施形態に係る状態制御装置  まず、本実施形態に係る状態制御方法に係る処理を行うことが可能な、本実施形態に係る状態制御装置の構成の一例について説明する。
【０３２４】  図２４は、本実施形態に係る状態制御装置１００の構成の一例を示すブロック図である。状態制御装置１００は、例えば、検出部１０２と、制御部１０４とを備える。
【０３２５】  また、状態制御装置１００は、例えば、ＲＯＭ（Read  Only  Memory。図示せず）や、ＲＡＭ（Random  Access  Memory。図示せず）、記憶部（図示せず）、通信部（図示せず）、ユーザが操作可能な操作部（図示せず）、様々な画面を表示画面に表示する表示部（図示せず）などを備えていてもよい。状態制御装置１００は、例えば、データの伝送路としてのバスにより上記各構成要素間を接続する。
【０３２６】  ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０３２７】  記憶部（図示せず）は、状態制御装置１００が備える記憶手段であり、例えば、コンテンツリストを示すデータやコンテンツデータなどの本実施形態に係る状態制御方法に係るデータや、アプリケーションなど様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、状態制御装置１００から着脱可能であってもよい。
【０３２８】  通信部としては、例えば、後述する通信インタフェースが挙げられる。操作部（図示せず）としては、例えば、後後述する操作入力デバイスが挙げられる。また、表示部（図示せず）としては、例えば、後後述する表示デバイスが挙げられる。
【０３２９】［状態制御装置１００のハードウェア構成例］  図２５は、本実施形態に係る状態制御装置１００のハードウェア構成の一例を示す説明図である。状態制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４と、センサ１６６とを備える。また、状態制御装置１００は、例えば、データの伝送路としてのバス１６８で各構成要素間を接続する。
【０３３０】  ＭＰＵ１５０は、例えば、ＭＰＵなどの演算回路で構成される、１または２以上のプロセッサや、各種処理回路などで構成され、状態制御装置１００全体を制御する制御部１０４として機能する。また、ＭＰＵ１５０は、状態制御装置１００において、例えば、後述する取得部１１０、および状態制御部１１２の役目を果たす。
【０３３１】  ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０３３２】  記録媒体１５６は、記憶部（図示せず）として機能し、例えば、コンテンツリストを示すデータなどの本実施形態に係る状態制御方法に係るデータや、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、状態制御装置１００から着脱可能であってもよい。
【０３３３】  入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。
【０３３４】  また、操作入力デバイス１６０は、例えば、状態制御装置１００上に備えられ、状態制御装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。
【０３３５】  また、表示デバイス１６２は、例えば、状態制御装置１００上に備えられ、状態制御装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。
【０３３６】  なお、入出力インタフェース１５８が、状態制御装置１００の外部装置としての外部の操作入力デバイス（例えば、キーボードやマウスなど）や外部の表示デバイスなどの、外部デバイスと接続することも可能であることは、言うまでもない。また、表示デバイス１６２は、例えばタッチパネルなど、表示とユーザ操作とが可能なデバイスであってもよい。
【０３３７】  通信インタフェース１６４は、状態制御装置１００が備える通信手段であり、ネットワークを介して（あるいは、直接的に）、外部の表示デバイスなどの外部デバイスや、外部装置と無線または有線で通信を行うための通信部（図示せず）として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ：Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０３３８】  センサ１６６は、状態制御装置１００が備える検出手段であり、検出部１０２の役目を果たす。センサ１６６としては、例えば、酵素センサが挙げられる。また、センサ１６６は、酵素センサに加え、さらに心拍を検出するセンサや、発汗量を検出するセンサなどの他のセンサを備えていてもよい。
【０３３９】  状態制御装置１００は、例えば図２５に示す構成によって、本実施形態に係る状態制御方法に係る処理を行う。なお、本実施形態に係る状態制御装置１００のハードウェア構成は、図２５に示す構成に限られない。
【０３４０】  例えば、状態制御装置１００は、センサ１６６と同様の機能を有する外部の検出デバイスの検出結果を用いて処理を行う場合には、センサ１６６を備えていなくてもよい。
【０３４１】  また、状態制御装置１００は、例えば、接続されている外部の通信デバイスを介して外部装置と通信を行う場合や、スタンドアロンで処理を行う場合には、通信インタフェース１６４を備えていなくてもよい。また、状態制御装置１００は、例えば、同一のまたは異なる通信方式に対応する複数の通信インタフェースを備えていてもよい。
【０３４２】  また、状態制御装置１００は、例えば、記録媒体１５６や、操作入力デバイス１６０、表示デバイス１６２を備えない構成をとることが可能である。
【０３４３】  また、例えば、図２５に示す構成（または変形例に係る構成）は、１、または２以上のＩＣ（Integrated  Circuit）で実現されてもよい。
【０３４４】  また、状態制御装置１００は、例えば図１１のＡ〜図１１のＣを参照して示した構成を有する、口腔内デバイスであってもよい。
【０３４５】  再度図２４を参照して、状態制御装置１００の構成の一例について説明する。検出部１０２は、状態制御装置１００が備える検出手段であり、例えば、検出対象の検出結果に応じた信号（検出結果の一例）を出力する。検出部１０２としては、例えば、酵素センサが挙げられる。また、検出部１０２は、酵素センサと、心拍を検出するセンサや、発汗量を検出するセンサなどの他のセンサとの複数のセンサで構成されていてもよい。
【０３４６】  制御部１０４は、例えばＭＰＵなどで構成され、状態制御装置１００全体を制御する役目を果たす。また、制御部１０４は、例えば、取得部１１０と状態制御部１１２とを備え、本実施形態に係る状態制御方法に係る処理を主導的に行う役目を果たす。
【０３４７】  取得部１１０は、上記（１）の処理（取得処理）を主導的に行う役目を果たし、状態指標を取得する。取得部１１０は、例えば、上記（１−１）に示す第１の例に係る取得処理や上記（１−２）に示す第２の例に係る取得処理を行う。
【０３４８】  状態制御部１１２は、上記（２）の処理（状態制御処理）を主導的に行う役目を果たす。状態制御部１１２は、取得部１１０において取得された状態指標と、感情誘導媒体に対応付けられているパターン情報とに基づいて、対象感情の状態の誘導に用いる感情誘導媒体を決定する。そして、状態制御部１１２は、決定された感情誘導媒体に関する処理を行うことによって、誘導対象における対象感情の状態を制御する。
【０３４９】  より具体的には、状態制御部１１２は、上記（２−１）に示す第１の例に係る状態制御処理〜上記（２−７）に示す第７の例に係る状態制御処理を行う。
【０３５０】  制御部１０４は、例えば、取得部１１０、および状態制御部１１２を備えることによって、本実施形態に係る状態制御方法に係る処理を主導的に行う。
【０３５１】  状態制御装置１００は、例えば図２４に示す構成によって、本実施形態に係る状態制御方法に係る処理（例えば、上記（１）に示す処理（取得処理）および上記（２）に示す処理（状態制御処理））を行う。
【０３５２】  したがって、状態制御装置１００は、例えば図２４に示す構成によって、誘導対象の感情の状態を、設定されている所定の状態となるように誘導することができる。
【０３５３】  また、例えば図２４に示す構成によって、状態制御装置１００は、例えば上述したような、本実施形態に係る状態制御方法に係る処理が行われることにより奏される効果を、奏することができる。
【０３５４】  なお、本実施形態に係る状態制御装置の構成は、図２４に示す構成に限られない。
【０３５５】  例えば、本実施形態に係る状態制御装置は、図２４に示す取得部１１０および状態制御部１１２の一方または双方を、制御部１０４とは個別に備える（例えば、別の処理回路で実現する）ことができる。
【０３５６】  また、上述したように、上記取得処理および上記状態制御処理は、便宜上、本実施形態に係る状態制御方法に係る処理を切り分けたものである。よって、本実施形態に係る状態制御方法に係る処理を実現するための構成は、図２４に示す取得部１１０および状態制御部１１２に限られず、本実施形態に係る状態制御方法に係る処理の切り分け方に応じた構成をとることが可能である。
【０３５７】  また、例えば、検出部１０２と同様の機能、構成を有する外部の検出デバイスの検出結果を用いて処理を行う場合には、本実施形態に係る状態制御装置は、検出部１０２を備えていなくてもよい。
【０３５８】［ＩＩ］本実施形態に係る状態制御システム  次に、本実施形態に係る状態制御方法に係る処理を行うことが可能な、本実施形態に係る状態制御システムの構成の一例について説明する。
【０３５９】  図２６は、本実施形態に係る状態制御システム１０００の構成の一例を示すブロック図である。状態制御システム１０００は、状態制御装置２００と、処理装置３００とを有する。状態制御システム１０００において、処理装置３００は、例えば、上述した第１の適用例に係る状態制御システム〜上述した第６の適用例に係る状態制御システムを構成する、誘導対象側の装置に該当する。
【０３６０】  状態制御装置２００は、感情誘導媒体を用いる処理を処理装置３００に行わせることにより、誘導対象における対象感情の状態を設定されている所定の状態に誘導させる。また、処理装置３００は、感情誘導媒体を用いる処理を行う。
【０３６１】［ＩＩ−１］状態制御装置２００  状態制御装置２００は、例えば、通信部２０２と、制御部２０４とを備える。
【０３６２】  また、状態制御装置２００は、例えば、ＲＯＭ（図示せず）や、ＲＡＭ（図示せず）、記憶部（図示せず）、操作部（図示せず）、表示部（図示せず）などを備えていてもよい。状態制御装置２００は、例えば、データの伝送路としてのバスにより上記各構成要素間を接続する。
【０３６３】［状態制御装置２００のハードウェア構成例］  状態制御装置２００は、例えば、図２５に示す状態制御装置１００と同様のハードウェア構成を有する。なお、状態制御装置２００のハードウェア構成が、図２５に示す構成に限られないことは、言うまでもない。
【０３６４】  通信部２０２は、状態制御装置２００が備える通信手段であり、ネットワークを介して（あるいは、直接的に）、外部の表示デバイスなどの外部デバイスや、処理装置３００などの外部装置と無線または有線で通信を行う。また、通信部２０２は、例えば制御部２０４により通信が制御される。
【０３６５】  ここで、通信部２０２としては、例えば、通信アンテナおよびＲＦ回路や、ＬＡＮ端子および送受信回路などが挙げられるが、通信部２０２の構成は、上記に限られない。例えば、通信部２０２は、ＵＳＢ端子および送受信回路や、赤外線通信ポートおよび送受信回路などの通信を行うことが可能な任意の規格に対応する構成や、ネットワークを介して外部装置と通信可能な任意の構成をとることができる。また、通信部２０２は、複数の通信方式によって、１または２以上の外部装置と通信を行うことが可能な構成であってもよい。
【０３６６】  制御部２０４は、例えばＭＰＵなどで構成され、状態制御装置２００全体を制御する役目を果たす。また、制御部２０４は、例えば、取得部１１０、および状態制御部１１２を備え、本実施形態に係る状態制御方法に係る処理を主導的に行う。一例を挙げると、制御部２０４は、例えば図１２、図１４、図１５、図１６、図２０、図２１、図２２における状態制御装置側の処理を行う。
【０３６７】  状態制御装置２００は、例えば図２６に示す構成によって、本実施形態に係る状態制御方法に係る処理（例えば、上記（１）に示す処理（取得処理）および上記（２）に示す処理（状態制御処理））を行う。
【０３６８】  したがって、状態制御装置２００は、例えば図２６に示す構成によって、誘導対象の感情の状態を、設定されている所定の状態となるように誘導させることができる。
【０３６９】  なお、本実施形態に係る状態制御システムを構成する状態制御装置の構成は、図２６に示す構成に限られない。
【０３７０】  例えば、本実施形態に係る状態制御装置は、通信部２０２と同様の機能、構成を有する外部の通信デバイスを介して外部装置と通信を行う場合には、通信部２０２を備えていなくてもよい。
【０３７１】［ＩＩ−２］処理装置３００  処理装置３００は、例えば、検出部３０２と、通信部３０４と、制御部３０６とを備える。
【０３７２】［処理装置３００のハードウェア構成例］  処理装置３００は、例えば、図１１のＡ〜図１１のＣを参照して示した構成を有する。なお、処理装置３００の構成が、図１１のＡ〜図１１のＣを参照して示した構成に限られないことは、言うまでもない。
【０３７３】  検出部３０２は、処理装置３００が備える検出手段であり、例えば、検出対象の検出結果に応じた信号（検出結果の一例）を出力する。検出部３０２は、例えば、図２４に示す検出部１０２と同様の機能、構成を有する。
【０３７４】  通信部３０４は、処理装置３００が備える通信手段であり、ネットワークを介して（あるいは、直接的に）、状態制御装置２００などの外部装置と無線または有線で通信を行う。また、通信部３０４は、例えば制御部３０６により通信が制御される。
【０３７５】  ここで、通信部３０４は、例えば、状態制御装置２００が備える通信部２０２と対応する通信方式に係る通信デバイスで構成される。
【０３７６】  制御部３０６は、例えばＭＰＵなどで構成され、処理装置３００全体を制御する役目を果たす。また、制御部３０６は、例えば処理部３１０を備え、感情誘導媒体を用いる処理などの様々な処理を行う。一例を挙げると、処理部３１０は、例えば図１２、図１４、図１５、図１６、図２０、図２１、図２２における誘導対象側の装置側の処理を行う。
【０３７７】  処理装置３００は、例えば図２６に示す構成によって、感情誘導媒体を用いる処理などの様々な処理を行う。
【０３７８】  なお、本実施形態に係る状態制御システムを構成する処理装置の構成は、図２６に示す構成に限られない。
【０３７９】  例えば、検出部３０２と同様の機能、構成を有する外部の検出デバイスが接続されている場合には、本実施形態に係る処理装置は、検出部３０２を備えていなくてもよい。
【０３８０】  また、例えば、本実施形態に係る状態制御装置は、通信部３０４と同様の機能、構成を有する外部の通信デバイスを介して外部装置と通信を行う場合には、通信部２０２を備えていなくてもよい。
【０３８１】  状態制御システム１０００は、例えば図２６に示す構成の状態制御装置２００と処理装置３００とを有する。
【０３８２】  ここで、状態制御システム１０００では、状態制御装置２００において本実施形態に係る状態制御方法に係る処理（例えば、上記（１）に示す処理（取得処理）および上記（２）に示す処理（状態制御処理））が行われる。
【０３８３】  よって、例えば図２６に示す構成の状態制御装置２００と処理装置３００とを有することによって、誘導対象の感情の状態を設定されている所定の状態となるように誘導することが可能な、状態制御システムが実現される。
【０３８４】  また、例えば図２６に示す構成の状態制御装置２００と処理装置３００とを有することによって、本実施形態に係る状態制御システムでは、例えば上述したような、本実施形態に係る状態制御方法に係る処理が行われることにより奏される効果が、奏される。
【０３８５】  以上、本実施形態として、状態制御装置を挙げて説明したが、本実施形態は、かかる形態に限られない。本実施形態は、例えば、ＰＣやサーバなどのコンピュータや、スマートフォンや携帯電話などの通信装置、タブレット型の装置、映像／音楽再生装置（または映像／音楽記録再生装置）、ゲーム機、表示装置、テレビジョン受像機など、様々な機器に適用することができる。また、本実施形態は、例えば、図１１のＡ〜図１１のＣに示すような口腔内デバイスに適用することも可能である。また、本実施形態は、例えば、上記のような機器に組み込むことが可能な、処理ＩＣに適用することもできる。
【０３８６】  また、本実施形態に係る状態制御装置は、例えばクラウドコンピューティングなどのように、ネットワークへの接続（または各装置間の通信）を前提とした、１または２以上の装置からなるシステムに適用されてもよい。つまり、上述した本実施形態に係る状態制御装置は、例えば、複数の装置からなるシステムとして実現することも可能である。
【０３８７】  上述した本実施形態に係る状態制御装置が、例えばクラウドコンピューティングなどのようなシステムとして実現される場合、本実施形態に係るシステムは、例えば、本実施形態に係る状態制御方法に係る処理を行い、有線または無線で通信可能な処理装置に感情誘導媒体を用いる処理を行わせることによって、誘導対象における対象感情の状態を制御する。
【０３８８】  また、本実施形態に係る状態制御システムを構成する構成要素として、処理装置を挙げて説明したが、本実施形態は、かかる形態に限られない。本実施形態は、例えば、例えば、図１１のＡ〜図１１のＣに示すような口腔内デバイスのような、誘導対象に装着されて用いられうる装置など、様々な機器に適用することができる。また、本実施形態に係る処理装置に、外部の検出デバイスが接続される構成である場合には、処理装置は、例えば、誘導対象に装着されて用いられうる装置でなくてもよい。
【０３８９】（本実施形態に係るプログラム）  コンピュータを、本実施形態に係る状態制御装置として機能させるためのプログラム（例えば、上記（１）に示す処理（取得処理）および上記（２）に示す処理（状態制御処理）など、本実施形態に係る状態制御方法に係る処理を実行することが可能なプログラム）が、コンピュータにおいてプロセッサなどにより実行されることによって、誘導対象の感情の状態を、設定されている所定の状態となるように誘導することができる。
【０３９０】  また、コンピュータを、本実施形態に係る状態制御装置として機能させるためのプログラムが、コンピュータにおいてプロセッサなどにより実行されることによって、上述した本実施形態に係る状態制御方法に係る処理によって奏される効果を、奏することができる。
【０３９１】  以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３９２】  例えば、上記では、コンピュータを、本実施形態に係る状態制御装置として機能させるためのプログラム（コンピュータプログラム）が提供されることを示したが、本実施形態は、さらに、上記プログラムを記憶させた記録媒体も併せて提供することができる。
【０３９３】  上述した構成は、本実施形態の一例を示すものであり、当然に、本開示の技術的範囲に属するものである。
【０３９４】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３９５】  なお、以下のような構成も本開示の技術的範囲に属する。（１）  感情の状態を誘導する誘導対象から検出された誘導する対象の感情である対象感情に対応する生体情報に基づく、前記対象感情の状態を示す状態指標を取得する取得部と、  取得された前記状態指標と、前記対象感情の状態を誘導するための感情誘導媒体に対応付けられている、前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御する状態制御部と、  を備え、  前記生体情報には、酵素の検出結果を示す情報が含まれる、状態制御装置。（２）  前記状態制御部は、取得された前記状態指標の時間的な変化のパターンと反対の変化のパターンを有する前記感情誘導媒体の中から、前記誘導対象における前記対象感情の状態の誘導に用いる前記感情誘導媒体を決定する、（１）に記載の状態制御装置。（３）  前記状態制御部は、  決定された前記感情誘導媒体に関する処理による制御が開始された場合には、決定された前記感情誘導媒体に関する処理による制御が開始されてから経過した時間と、決定された前記感情誘導媒体に対応付けられている前記パターン情報とに基づいて、前記対象感情の状態が前記所定の状態となるように、前記感情誘導媒体を再決定し、  前記誘導対象における前記対象感情の状態の制御に用いる前記感情誘導媒体を、用いられている前記感情誘導媒体から再決定された前記感情誘導媒体に切り替えて、前記誘導対象における前記対象感情の状態を制御する、（１）、または（２）に記載の状態制御装置。（４）  再決定される前記感情誘導媒体は、決定された前記感情誘導媒体に対応付けられている前記パターン情報における前記状態指標の時間的な変化のパターンと反対の変化のパターンを有する前記感情誘導媒体である、（３）に記載の状態制御装置。（５）  前記状態制御部は、取得された前記状態指標が設定されている所定の閾値より大きい場合、または、取得された前記状態指標が前記閾値以上となった場合に、前記誘導対象における前記対象感情の状態の制御を開始する、（１）〜（４）のいずれか１つに記載の状態制御装置。（６）  前記状態制御部は、設定されている前記感情誘導媒体の検索条件を満たす前記感情誘導媒体の中から、前記誘導対象における前記対象感情の状態の誘導に用いる前記感情誘導媒体を決定する、（１）〜（５）のいずれか１つに記載の状態制御装置。（７）  前記検索条件には、前記感情誘導媒体の検索範囲を示す条件が含まれ、  前記状態制御部は、設定されている前記検索条件が示す検索範囲に含まれる前記感情誘導媒体の中から、前記誘導対象における前記対象感情の状態の誘導に用いる前記感情誘導媒体を決定する、（６）に記載の状態制御装置。（８）  前記状態制御部は、  設定されている前記検索条件が示す検索範囲のうちの第１の範囲に含まれる前記感情誘導媒体の中から、前記誘導対象における前記対象感情の状態の誘導に用いる前記感情誘導媒体を決定する、第１の決定処理を行い、  前記第１��決定処理により前記対象感情の状態の誘導に用いる前記感情誘導媒体が決定されない場合に、前記検索条件が示す検索範囲のうちの前記第１の範囲以外の第２の範囲に含まれる前記感情誘導媒体の中から、前記誘導対象における前記対象感情の状態の誘導に用いる前記感情誘導媒体を決定する、第２の決定処理を行う、（７）に記載の状態制御装置。（９）  前記状態制御部は、  前記第２の決定処理により前記対象感情の状態の誘導に用いる前記感情誘導媒体が決定されない場合には、前記検索条件が示す検索範囲を変更し、  変更された検索範囲に含まれる前記感情誘導媒体の中から、前記誘導対象における前記対象感情の状態の誘導に用いる前記感情誘導媒体を決定する、第３の決定処理を行う、（８）に記載の状態制御装置。（１０）  前記状態制御部は、前記誘導対象における前記対象感情の状態を通知させる、（１）〜（９）のいずれか１つに記載の状態制御装置。（１１）  前記状態指標は、酵素の活性度である、（１）〜（１０）のいずれか１つに記載の状態制御装置。（１２）  前記生体情報には、前記誘導対象に対して与えられた外部刺激に対する反応の時定数が所定の時間以内の酵素の検出結果を示す情報、または、前記時定数が前記所定の時間より短い酵素の検出結果を示す情報が含まれる、（１）〜（１１）のいずれか１つに記載の状態制御装置。（１３）  前記酵素は、唾液アミラーゼである、（１）〜（１２）のいずれか１つに記載の状態制御装置。（１４）  前記取得部は、検出デバイスの検出結果に応じた前記生体情報に基づいて前記状態指標を算出して、前記状態指標を取得する、（１）〜（１３）のいずれか１つに記載の状態制御装置。（１５）  前記検出デバイスを有する検出部をさらに備え、  前記取得部は、前記検出部における検出結果に応じた前記生体情報に基づいて前記状態指標を算出する、（１４）に記載の状態制御装置。（１６）  前記取得部は、外部装置との通信によって、前記状態指標を前記外部装置から取得する、（１）〜（１３）のいずれか１つに記載の状態制御装置。（１７）  前記状態制御部は、取得された前記状態指標に基づいて、決定された前記感情誘導媒体に対応付けられている前記パターン情報を更新する、（１）〜（１６）のいずれか１つに記載の状態制御装置。（１８）  前記状態制御装置は、口腔内デバイスである、（１）〜（１７）のいずれか１つに記載の状態制御装置。（１９）  感情の状態を誘導する誘導対象から検出された誘導する対象の感情である対象感情に対応する生体情報に基づく、前記対象感情の状態を示す状態指標を取得するステップと、  取得された前記状態指標と、前記対象感情の状態を誘導するための感情誘導媒体に対応付けられている、前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御するステップと、  を有し、  前記生体情報には、酵素の検出結果を示す情報が含まれる、状態制御装置により実行される状態制御方法。（２０）  感情の状態を誘導する誘導��象における誘導する対象の感情である対象感情の状態を誘導するための感情誘導媒体を用いる処理を行う処理装置と、  前記感情誘導媒体を用いる処理を前記処理装置に行わせることにより、前記誘導対象における前記対象感情の状態を設定されている所定の状態に誘導させる状態制御装置と、  を有し、  前記状態制御装置は、  前記誘導対象から検出された前記対象感情に対応する生体情報に基づく、前記対象感情の状態を示す状態指標を取得する取得部と、  取得された前記状態指標と、前記感情誘導媒体に対応付けられている前記状態指標の時間的な変化のパターンを示すパターン情報とに基づいて、前記対象感情の状態が設定されている所定の状態となるように、前記対象感情の状態の誘導に用いる前記感情誘導媒体を決定し、決定された前記感情誘導媒体に関する処理を行うことによって、前記誘導対象における前記対象感情の状態を制御する状態制御部と、  を備え、  前記生体情報には、酵素の検出結果を示す情報が含まれる、状態制御システム。
【符号の説明】
【０３９６】  １００、２００    状態制御装置  １０２、３０２    検出部  １０４、２０４、３０６    制御部  １１０    取得部  １１２    状態制御部  ２０２、３０４    通信部  ３００    処理装置  ３１０    処理部
【図１】
0006488485.tif 000003
【図２】
0006488485.tif 000004
【図３】
0006488485.tif 000005
【図４】
0006488485.tif 000006
【図５】
0006488485.tif 000007
【図６】
0006488485.tif 000008
【図７】
0006488485.tif 000009
【図８】
0006488485.tif 000010
【図９】
0006488485.tif 000011
【図１０】
0006488485.tif 000012
【図１１】
0006488485.tif 000013
【図１２】
0006488485.tif 000014
【図１３】
0006488485.tif 000015
【図１４】
0006488485.tif 000016
【図１５】
0006488485.tif 000017
【図１６】
0006488485.tif 000018
【図１７】
0006488485.tif 000019
【図１８】
0006488485.tif 000020
【図１９】
0006488485.tif 000021
【図２０】
0006488485.tif 000022
【図２１】
0006488485.tif 000023
【図２２】
0006488485.tif 000024
【図２３】
0006488485.tif 000025
【図２４】
0006488485.tif 000026
【図２５】
0006488485.tif 000027
【図２６】
0006488485.tif 000028